(57)【特許請求の範囲】
【請求項１】
ワイドエリア無線アクセスネットワーク（ＲＡＮ）の第１の基地局（ＢＳ）によるワイヤレス通信のための方法であって、
前記第１のＢＳによっておよびワイヤレスローカルエリアネットワーク（ＷＬＡＮ）の第２のＢＳによってサービスされるユーザ機器（ＵＥ）が、無線アクセスネットワーク（ＲＡＮ）アグリゲーションに参加可能であると決定することと、
前記ワイドエリアＲＡＮおよび前記ＷＬＡＮの両方を同時に介して、１つまたは複数のパケットデータネットワーク（ＰＤＮ）接続をアクティブに維持する間に、前記第１のＢＳと前記第２のＢＳとの前記１つまたは複数のＰＤＮ接続の１つまたは複数のベアラの前記ＵＥのためのＲＡＮアグリゲーションをアクティブ化することと、
を備え、
前記ＲＡＮアグリゲーションをアクティブ化することは、
前記ＲＡＮアグリゲーションが可能であるという指示を、ＭＭＥまたはＳＧＳＮに送ることと、
前記ＵＥが前記第２のＢＳにアクセスするために現在使用しているネットワーク識別子とは異なるネットワーク識別子を使用して前記第２のＢＳに接続するように前記ＵＥにメッセージを送信することと、
のうちの１つを備え、
前記１つまたは複数のベアラの各ベアラを識別するための論理チャネル識別子（ＬＣＩＤ）が、各ベアラのパケットに含まれる、方法。
【請求項２】
前記決定は、前記ＵＥから受信された指示に基づく、請求項１に記載の方法。
【請求項３】
前記決定は、前記第２のＢＳから受信された指示に基づく、請求項１に記載の方法。
【請求項４】
前記ＵＥは、一度に単一のＷＬＡＮ ＢＳと単一のワイドエリアＲＡＮ ＢＳとに接続可能である、請求項１に記載の方法。
【請求項５】
ＲＡＮアグリゲーションをアクティブ化することは、ＷＬＡＮの別のＢＳにアクセスすることを前記ＵＥにさせることを備える、請求項１に記載の方法。
【請求項６】
前記ＵＥが接続された前記ＷＬＡＮの前記第２のＢＳのアイデンティティ、または利用可能なＷＬＡＮの前記ＢＳのリストを、前記ＵＥから受信することをさらに備える、請求項１に記載の方法。
【請求項７】
ＷＬＡＮの１つまたは複数のＢＳに接続されたＵＥのリストを、定期的にまたはリクエストに応じて、前記ＷＬＡＮの前記第２のＢＳから受信することをさらに備える、請求項１に記載の方法。
【請求項８】
前記ＵＥのアイデンティティを、前記ＷＬＡＮの前記第２のＢＳから受信することをさらに備える、請求項１に記載の方法。
【請求項９】
ユーザ機器（ＵＥ）によるワイヤレス通信のための方法であって、
ワイヤレスローカルエリアネットワーク（ＷＬＡＮ）の第１の基地局（ＢＳ）、およびワイドエリア無線アクセスネットワーク（ＲＡＮ）の第２のＢＳによってサービスされている間に、１つまたは複数のパケットデータネットワーク（ＰＤＮ）接続に属する１つまたは複数のベアラのＲＡＮアグリゲーションを開始するための指示を受信することと、
前記ワイドエリアＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと、
を備え、
前記動作をすることは、前記ＵＥが前記第１のＢＳにアクセスするために現在使用しているものとは異なるネットワーク識別子を使用して前記第１のＢＳにアクセスすることを備え、
前記１つまたは複数のベアラを識別するための論理チャネル識別子（ＬＣＩＤ）が、各ベアラのパケットに含まれる、方法。
【請求項１０】
動作をすることは、前記第１のＢＳによってサービスされる１つまたは複数のＳ２ａおよびＳ２ｂ接続を切断せずに、前記第１のＢＳから切断することを備える、請求項９に記載の方法。
【請求項１１】
動作をすることは、ＷＬＡＮの第３のＢＳに接続することを備える、請求項９に記載の方法。
【請求項１２】
動作をすることはさらに、前記第１のＢＳから切断することを備える、請求項１１に記載の方法。
【請求項１３】
動作をすることはさらに、インターネットプロトコル（ＩＰ）フローモビリティ（ＩＦＯＭ）シグナリングを行うことを備える、請求項１１に記載の方法。
【請求項１４】
ワイドエリア無線アクセスネットワーク（ＲＡＮ）の第１の基地局（ＢＳ）であって、
少なくとも１つのアンテナと、
少なくとも１つのプロセッサと、を備え、前記少なくとも１つのプロセッサは、
前記第１のＢＳによっておよびワイヤレスローカルエリアネットワーク（ＷＬＡＮ）の第２のＢＳによってサービスされるユーザ機器（ＵＥ）が、無線アクセスネットワーク（ＲＡＮ）アグリゲーションに参加可能であると決定することと、
前記ワイドエリアＲＡＮのみを介して、または前記ワイドエリアＲＡＮおよび前記ＷＬＡＮの両方を同時に介して、１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの前記１つまたは複数のＰＤＮ接続の１つまたは複数のベアラの前記ＵＥのためのＲＡＮアグリゲーションをアクティブ化することと、
をするように構成され、
前記ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備え、
前記１つまたは複数のベアラを識別するための論理チャネル識別子（ＬＣＩＤ）が、各ベアラのパケットに含まれる、第１のＢＳ。
【請求項１５】
ユーザ機器（ＵＥ）であって、
少なくとも１つのアンテナと、
少なくとも１つのプロセッサと、を備え、前記少なくとも１つのプロセッサは、
ワイヤレスローカルエリアネットワーク（ＷＬＡＮ）の第１の基地局（ＢＳ）、およびワイドエリア無線アクセスネットワーク（ＲＡＮ）の第２のＢＳによってサービスされている間に、１つまたは複数のパケットデータネットワーク（ＰＤＮ）接続に属する１つまたは複数のベアラのＲＡＮアグリゲーションを開始するための指示を受信することと、
前記ワイドエリアＲＡＮのみを介して、または前記ワイドエリアＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと、
をするように構成され、
前記動作をすることは、前記ＵＥが前記第１のＢＳにアクセスするために現在使用しているものとは異なるネットワーク識別子を使用して前記第１のＢＳにアクセスすることを備え、
前記１つまたは複数のベアラを識別するための論理チャネル識別子（ＬＣＩＤ）が、各ベアラのパケットに含まれる、ＵＥ。
【発明の詳細な説明】
【関連出願への相互参照】
【０００１】
[0001]  本特許出願は、２０１４年５月２７日に出願された米国仮特許出願第６２／００３，３８７号、および２０１５年５月２６日に出願された米国特許出願第１４／７２１，３０５号の優先権を主張し、その両方がそれら全体において参照によって本明細書に明示的に組み込まれるものである。
【背景技術】
【０００２】
[0002]  本開示のある態様は、一般にワイヤレス通信に関し、より具体的には、異なる無線アクセス技術（ＲＡＴ）を使用してアグリゲーションをサポートするシステムにおいてデータをルーティングするための技法に関する。
【関連技術の説明】
【０００３】
[0003]  ワイヤレス通信システムは、音声、データのような様々なタイプの通信コンテンツを提供するために広く展開されている。これらシステムは、利用可能なシステムリソース（例えば、帯域幅および送信電力）を共有することによって複数のユーザとの通信をサポート可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））、ロングタームエボリューション（ＬＴＥ（登録商標））システム、ロングタームエボリューションアドバンスト（ＬＴＥ−Ａ）システム、および直交周波数分割多元接続（ＯＦＤＭＡ）システムを含む。
【０００４】
[0004]  一般に、ワイヤレス多元接続通信システムは、複数のワイヤレス端末のための通信を同時にサポートできる。各端末は、順方向および逆方向リンク上の送信を介して、１つまたは複数の基地局と通信する。順方向リンク（すなわち、ダウンリンク）は、基地局から端末への通信リンクを指し、逆方向リンク（すなわち、アップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信技術が進歩するにつれて、ますます多くの異なる無線アクセス技術が利用されている。例えば、多数の地理的エリアが複数のワイヤレス通信システムによってサービスされ、それらの各々は、１つまたは複数の異なるエアインターフェース(air interface)技術を利用できる。このようなネットワーク環境におけるワイヤレス端末の多用性を増大させるために、複数の無線技術の下で動作可能であるマルチモードワイヤレス端末への潮流(trend)が近年増してきている。例えば、マルチモードの実施は、端末が、地理的エリア内にあって各々異なる無線インターフェース技術を利用できる複数のシステムのうちからシステムを選択し、その後１つ以上の選ばれたシステムと通信することを可能にできる。
【０００６】
[0006]  いくつかの場合において、こうしたシステムは、トラフィックがワイヤレスワイドエリアネットワーク（ＷＷＡＮ）などの１つのネットワークから、ワイヤレス免許不要ローカルエリアネットワーク（ここでは、例えばＷＬＡＮまたはＷｉ−Ｆｉ技術、あるいは、免許不要ＬＴＥのような免許不要スペクトル内で使用されるＷＷＡＮ技術に基づくもので、ＷＬＡＮと総称される)のような第２のネットワークへオフロードされることを可能にし得る。
【発明の概要】
【０００７】
[0007]  本開示のある態様は、第１の無線アクセス技術（ＲＡＴ）の第１の基地局（ＢＳ）によって行われるワイヤレス通信のための方法を提供する。方法は、一般に、ＷＬＡＮの第１のＢＳによっておよび第２のＢＳによってサービスされるユーザ機器（ＵＥ）が、無線アクセスネットワーク（ＲＡＮ）アグリゲーションに参加可能であると決定することと、ＲＡＮのみを介して、またはＲＡＮおよびＷＬＡＮの両方を同時に介して、１つまたは複数のパケットデータネットワーク（ＰＤＮ）接続をアクティブに維持する間に、第１のＢＳと、第２のＢＳまたはＷＬＡＮの別のＢＳのうちの少なくとも１つとの１つまたは複数のＰＤＮ接続の１つまたは複数のベアラのＵＥのためのＲＡＮアグリゲーションをアクティブ化することと、を含む。
【０００８】
[0008]  本開示のある態様は、ユーザ機器（ＵＥ）によって行われるワイヤレス通信のための方法を提供する。方法は、一般に、ＷＬＡＮの第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信することと、ＲＡＮのみを介して、またはＲＡＮおよびＷＬＡＮの両方を同時に介して、１つまたは複数のＰＤＮ接続をアクティブに維持する間に、１つまたは複数のＰＤＮ接続に属する１つまたは複数のベアラのＲＡＮアグリゲーションを行うための動作をすることと、を含む。
【０００９】
[0009]  本開示のある態様は、第１の無線アクセス技術（ＲＡＴ）の第１の基地局（ＢＳ）を提供する。第１の基地局は、一般に、少なくとも１つのアンテナと、ＷＬＡＮの第１のＢＳによっておよび第２のＢＳによってサービスされるユーザ機器（ＵＥ）が、無線アクセスネットワーク（ＲＡＮ）アグリゲーションに参加可能であると決定することと、ＲＡＮのみを介して、またはＲＡＮおよびＷＬＡＮの両方を同時に介して、１つまたは複数のパケットデータネットワーク（ＰＤＮ）接続をアクティブに維持する間に、第１のＢＳと、第２のＢＳまたはＷＬＡＮの別のＢＳのうちの少なくとも１つとの１つまたは複数のＰＤＮ接続の１つまたは複数のベアラのＵＥのためのＲＡＮアグリゲーションをアクティブ化することと、をするように構成される、少なくとも１つのプロセッサと、を含む。
【００１０】
[0010]  本開示のある態様は、ユーザ機器（ＵＥ）を提供する。ＵＥは、一般に、少なくとも１つのアンテナと、ＷＬＡＮの第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信することと、ＲＡＮのみを介して、またはＲＡＮおよびＷＬＡＮの両方を同時に介して、１つまたは複数のＰＤＮ接続をアクティブに維持する間に、１つまたは複数のＰＤＮ接続に属する１つまたは複数のベアラのＲＡＮアグリゲーションを行うための動作をすることと、をするように構成される少なくとも１つのプロセッサと、を含む。
【００１１】
[0011]  本開示の様々な態様および特徴が、下記でさらに詳細に説明される。
【図面の簡単な説明】
【００１２】
[0012]  上述された本開示の特徴が詳細に理解できる方法、上記で簡潔に要約されたより具体的な説明が、複数の態様を参照することによって得られるように、これらのいくつかが添付の図面で図示される。 しかしながら、添付の図面は、この開示のある典型的な態様のみを図示しており、従って、その説明が他の同等に効果的な態様を認めることができるように、その範囲を限定するものとみなされるべきではないことに留意されたい。
【図１】本開示のある態様に従った、多元接続ワイヤレス通信システムの例を図示する。
【図２】本開示のある態様に従った、アクセスポイントとユーザ端末のブロック図を図示する。
【図３】本開示のある態様に従った、ワイヤレスデバイスにおいて利用され得る様々なコンポーネントを図示する。
【図４】本開示のある態様に従った、マルチモードモバイル局の例を図示する。
【図５】本開示のある態様に従った、ワイヤレスローカルエリアネットワーク（ＷＬＡＮ）と３ＧＰＰ ｅノードＢのための基準セルラ−ＷＬＡＮ相互作用アーキテクチャ(reference cellular-WLAN interworking architecture)を図示する。
【図６】本開示のある態様に従った、ユーザプレーンのための例示的なインターフェースプロトコルアーキテクチャ(interface protocol architecture)を図示する。
【図７】本開示のある態様に従った、ユーザプレーンのための例示的なインターフェースプロトコルアーキテクチャを図示する。
【図８】本開示のある態様に従った、ワイドエリア無線アクセスネットワーク（ＲＡＮ）へのＷＬＡＮのための基準アーキテクチャを図示する。
【図９】本開示のある態様に従った、ＲＡＮアグリゲーションをトリガするための例示的なコールフロー(call flows)を図示する。
【図１０Ａ】本開示のある態様に従った、ＲＡＮアグリゲーションが使用され得る例示的なワイヤレス通信システムを図示する。
【図１０Ｂ】本開示のある態様に従った、ＲＡＮアグリゲーションが使用され得る例示的なワイヤレス通信システムを図示する。
【図１１】本開示のある態様に従った、ＲＡＮアグリゲーションをトリガするための例示的なコールフローを図示する。
【図１２Ａ】本開示のある態様に従った、ＲＡＮアグリゲーションが使用され得る例示的なワイヤレス通信システムを図示する。
【図１２Ｂ】本開示のある態様に従った、ＲＡＮアグリゲーションが使用され得るワイヤレス通信システムの例を図示する。
【図１３】本開示のある態様に従った、ＲＡＮアグリゲーションのトリガのための例示的なコールフローを図示する。
【図１４Ａ】本開示のある態様に従った、ＲＡＮアグリゲーションが使用され得る例示的なワイヤレス通信システムを図示する。
【図１４Ｂ】本開示のある態様に従った、ＲＡＮアグリゲーションが使用され得る例示的なワイヤレス通信システムを図示する。
【図１５】本開示のある態様に従った、ＲＡＮアグリゲーションのトリガのための例示的なコールフローを図示する。
【図１６】本開示のある態様に従った、ＢＳによって行われ得るＲＡＮアグリゲーションを行うための動作の例を図示する。
【図１７】本開示のある態様に従った、ＵＥによって行われ得るＲＡＮアグリゲーションを行うための動作の例を図示する。
【詳細な説明】
【００１３】
[0030]  本開示の態様に従って、ワイヤレスネットワーク事業者（例えば、セルラネットワーク事業者）がワイヤレスワイドエリアネットワーク（例えば、３ＧＰＰネットワーク）と１つまたは複数のワイヤレスローカルエリアネットワーク（例えば、Ｗｉ−Ｆｉ）との両方を介して、ＵＥのためのＤＬおよびＵＬの両方をルーティングすることをイネーブルする(enable)ための技法が提供される。ＵＥは、ワイヤレスワイドエリアネットワーク（ＷＷＡＮ）と１つまたは複数のワイヤレスローカルエリアネットワーク（ＷＬＡＮ）との両方に同時に接続し得、ＷＷＡＮエンティティ（例えば、ｅＮＢ）は、ＷＬＡＮを介してＵＥへ／から他のパケットを搬送している間に、ＷＷＡＮを介してＵＥへ／からあるパケット(certain packets)を搬送することを決定し得る。例えば、ボイスオーバーインターネットプロトコル（ＶＯＩＰ：voice over internet protocol）のためのパケットは、ｅメールアプリケーションのパケットがＩＥＥＥ ８０２．１１ａｃ Ｗｉ−Ｆｉネットワークを使用してＷｉ−Ｆｉアクセスポイント（ＡＰ）を介してＵＥへ／から搬送されている間に、３ＧＰＰ ＬＴＥセルラネットワークを使用してｅＮＢを介してＵＥへ／から搬送され得る。
【００１４】
[0031]  一般に、事業者配備のＷＬＡＮは十分に利用されていないことが多いため、セルラネットワークからワイヤレスローカルエリアネットワーク（ＷＬＡＮ）にトラフィックをオフロードすることが好ましいことがある。しかしながら、ユーザ経験は、ＵＥが過負荷の(overloaded)ＷＬＡＮネットワークに接続するときに最良以下(suboptimal)である。本開示の特定の態様に従って、モバイル事業者（すなわち、セルラネットワーク事業者）は、どのトラフィックがＷＬＡＮを介してルーティングされるか、およびどのトラフィックがワイヤレスワイドエリアネットワーク（ＷＷＡＮ）（例えば、３ＧＰＰ ＲＡＮ）であり続けるかを制御でき得る。ＷＷＡＮからＷＬＡＮにベアラを切り替えるかどうかは、またはその逆も同様で、システムの有益な機能（例えば、システム全体のスループット）を最大化しながら、各ベアラのための「より良い」リンクを用いてベアラにサービスするという主要目標に基づいて決定され得る。ＵＥにサービスするために複数のＲＡＮをこうして組み合わせることは、「ＲＡＮアグリゲーション」と呼ばれ得る。より具体的には、ＲＡＮアグリゲーションは、ＬＴＥのような３ＧＰＰアクセスネットワークと、Ｗｉ−Ｆｉのような非３ＧＰＰアクセスネットワークとの間でトラフィックをオフロードするための手法である。データをオフロードするための、ＷＷＡＮ（ＬＴＥのような３ＧＰＰアクセスネットワーク）とＷＬＡＮ（Ｗｉ−Ｆｉのような非３ＧＰＰアクセスネットワーク）との間の相互作用もまた、ＲＡＮの規定によってイネーブルされ得る。これら規定は、ブロードキャストされるか、または、専用ＲＲＣシグナリングを介して送られ得る。加えて、非アクセス層（ＮＡＳ）メッセージは、３ＧＰＰ ＲＡＮまたは非３ＧＰＰ ＷＬＡＮへ向けられる(steered)ことを可能にされるアクセスパケットネットワーク（ＡＰＮ）の名称や、どのような条件下でオフロードが許可されるかのような、補助的な情報を与えるために使用され得る。ルール自体が、チャネル条件（例えば、受信信号品質）、ＷＬＡＮでの負荷、並びにいつ関与ネットワークのベアラをステアリングする(steer)かのようなトリガとしての迂回(backhaul)品質などの情報を使用する。あるトリガ(certain triggers)が満足されるとき、ＲＡＮは、ＵＥがＡＰＮまたは特定のベアラを３ＧＰＰ ＲＡＮと非３ＧＰＰ ＲＡＮとの間で移すこと可能にし得る。
【００１５】
[0032]  本開示の様々な態様が、添付の図面を参照して以下においてさらに十分に説明される。しかしながら、本開示は、多くの異なる形式で具現化され得、この開示全体を通して提示されるいずれかの明確な構成または機能に限定されるものと解釈されるべきではない。むしろ、これら態様は、この開示が完璧かつ完成したものとなって、本開示の範囲を当業者に十分に伝えることになるように提供される。本明細書における教示に基づき、当業者は、本開示の範囲が本開示の他の特定の態様で独立に実施されようと、それとの組み合わせで実施されようと、本明細書で開示された開示のいずれの態様をもカバーすることを意図するものと理解すべきである。例えば、本明細書で述べられた任意の数の態様を使用して、装置が実施され得たり、方法が実践され得たりする。さらに、本開示の範囲は、本明細書で述べられた開示の様々な態様に加え、またはそれら以外の他の構成、機能、あるいは構成および機能を使用して実現されるような装置または方法をカバーすることを意図する。本明細書に開示された開示の任意の態様は、請求項に記載された１つまたは複数の要素によって具現化され得ることが理解されるべきである。
【００１６】
[0033]  「例示的な」という用語は、「例、実例、または例示の役割を果たすこと」を意味するために本明細書で使用される。「例示的な」ものとして本明細書で説明される任意の態様は、必ずしも、他の態様よりも好ましいまたは有利であると解釈されるべきではない。
【００１７】
[0034]  複数の特定の態様が本明細書で説明されるが、これら態様の多くのバリエーションおよび置換が、本開示の範囲内に入る。好ましい態様のいくつかの恩恵および利点が記載されるが、本開示の範囲は、特定の恩恵、使用、または目的に限定されることを意図するものではない。むしろ、本開示の態様は、異なるワイヤレス技術、システム構成、ネットワーク、および送信プロトコルに広く適用可能であることを意図し、これらのいくつかは、図面および好ましい態様の下記の説明において、例として図示される。詳細な説明および図面は、添付の請求項およびその均等物等によって定義される本開示の範囲を限定することよりもむしろ本開示の単なる例示にすぎない。
【００１８】
［ワイヤレス通信システムの例］
[0035]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような、様々なワイヤレス通信ネットワークのために使用され得る。「ネットワーク」および「システム」という用語は、しばしば同義で使用される。ＣＤＭＡネットワークは、ユニバーサル地上無線アクセス（ＵＴＲＡ）、ＣＤＭＡ ２０００などのような無線技術を実施し得る。ＵＴＲＡは、広帯域ＣＤＭＡ（Ｗ−ＣＤＭＡ（登録商標））および低チップレート（ＬＣＲ）を含む。ＣＤＭＡ ２０００は、ＩＳ−２０００、ＩＳ−９５およびＩＳ−８５６規格をカバーする。ＴＤＭＡネットワークは、グローバルシステムフォーモバイルコミュニケーションズ（ＧＳＭ（登録商標））のような無線技術を実施し得る。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュ−ＯＦＤＭ（登録商標）などのような無線技術を実施し得る。ＵＴＲＡ、Ｅ−ＵＴＲＡ、およびＧＳＭは、ユニバーサルモバイル通信システム（ＵＭＴＳ）の一部である。ロングタームエボリューション（ＬＴＥ）は、Ｅ−ＵＴＲＡを使用するＵＭＴＳの最新のリリースである。ＵＴＡＲ、Ｅ−ＵＴＲＡ、ＧＳＭ、ＵＭＴＳ、ＬＴＥは、「第３世代パートナーシッププロジェクト（３ＧＰＰ）」と名付けられた団体からの文書で説明されている。ＣＤＭＡ ２０００は、「第３世代パートナーシッププロジェクト２（３ＧＰＰ２）」と名付けられた団体からの文書で説明されている。
【００１９】
[0036]  シングルキャリア周波数分割多元接続（ＳＣ−ＦＤＭＡ）は、送信機側でシングルキャリア変調を利用し、受信機側で周波数領域等化(frequency domain equalization)を利用する送信技法である。ＳＣ−ＦＤＭＡ技法は、ＯＦＤＭＡシステムのものと同様の性能および実質的に同じ全体的な複雑さを有する。しかしながら、ＳＣ−ＦＤＭＡ信号は、それの特有のシングルキャリア構造のために、より低いピーク対平均電力比（ＰＡＰＲ：peak-to-average power ratio）を有する。ＳＣ−ＦＤＭＡ技法は、特に、送信電力効率という観点から、より低いＰＡＰＲがモバイル端末に大いに利益をもたらすアップリンク通信において、大きな注目を集めている。ＳＣ−ＦＤＭＡの使用は現在、３ＧＰＰ ＬＴＥおよび発展型ＵＴＲＡにおけるアップリンク多元接続スキームに関する実践的想定(working assumption)である。
【００２０】
[0037]  アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何か他の用語のものとして既知であったり、それとして実施されたり、あるいはそれを備えたりし得る。
【００２１】
[0038]  アクセス端末（「ＡＴ」）は、アクセス端末、加入者局、加入者ユニット、モバイル局、リモート局、リモート端末、ユーザ端末、ユーザエージェント、ユーザデバイス、ユーザ機器、ユーザ局、または何か他の用語のものとして既知であったり、それとして実施されたり、あるいはそれを備えたりし得る。いくつかの実施において、アクセス端末は、セルラ電話、コードレス電話、セッション開始プロトコル（「ＳＩＰ」）電話、無線ローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何か他の適切な処理デバイスを備え得る。従って、本明細書で教示される１つまたは複数の態様は、電話（例えば、セルラ電話またはスマートフォン）、コンピュータ（例えば、ラップトップ）、携帯通信デバイス、携帯コンピューティングデバイス（例えば、携帯情報端末）、エンターテイメントデバイス（例えば、音楽または映像デバイス、あるいは衛星ラジオ）、全地球測位システムデバイス、あるいは、無線媒体または有線媒体を介して通信するように構成される何か他の適切なデバイスに組み込まれ得る。いくつかの態様では、ノードはワイヤレスノードである。そのようなワイヤレスノードは、例えば、有線またはワイヤレス通信リンクを介した、ネットワーク（例えば、インターネットまたはセルラネットワークのようなワイドエリアネットワーク）のための接続、またはそれへの接続を提供し得る。
【００２２】
[0039]  図１は、本開示の態様が利用され得る多元接続ワイヤレス通信システム１００を図示する。ワイヤレス通信システム１００は、例えば、ＬＴＥまたはＷｉ−Ｆｉシステムであり得る。
【００２３】
[0040]  ワイヤレス通信システム１００は、複数のアンテナグループを含み得る基地局１０２（ＢＳ）を含み得、１つのグループはアンテナ１０４および１０６を含み、別の１つのグループはアンテナ１０８および１１０を含み、さらなるグループはアンテナ１１２および１１４を含む。図１では、２つのアンテナが各アンテナグループのために示されるが、より多くのまたはより少ないアンテナが各のアンテナグループのために利用され得る。アクセス端末１１６（ＡＴ）は、アンテナ１１２および１１４と通信し得、ここで、アンテナ１１２および１１４は、順方向リンク１２０を介してアクセス端末１１６に情報を送信し、逆方向リンク１１８を介してアクセス端末１１６から情報を受信する。アクセス端末１２２は、アンテナ１０６および１０８と通信し得、ここで、アンテナ１０６および１０８は、順方向リンク１２６を介してアクセス端末１２２に情報を送信し、逆方向リンク１２４を介してアクセス端末１２２から情報を受信する。ＦＤＤシステムでは、通信リンク１１８、１２０、１２４、および１２６は、通信のために異なる周波数を使用し得る。例えば、順方向リンク１２０は、逆方向リンク１１８によって使用されるものとは異なる周波数を使用し得る。
【００２４】
[0041]  アンテナの各グループ、および／またはそれらが通信するように設計されたエリアはしばしば、アクセスポイントのセクタと呼ばれる。本開示の１つの態様では、各アンテナグループが、ＢＳ １０２によってカバーされるエリアのセクタ内でアクセス端末に通信するように設計され得る。
【００２５】
[0042]  順方向リンク１２０および１２６上の通信では、ＢＳ １０２の送信アンテナは、異なるアクセス端末１１６および１２２に対して順方向リンクの信号対雑音比を改善するためにビームフォーミングを利用し得る。また、そのカバレッジを通じてランダムに分散されたアクセス端末に送信するためにビームフォーミングを使用するアクセスポイントは、その全てのアクセス端末に単一のアンテナを通じて送信するアクセスポイントよりも、隣接セル中のアクセス端末へ干渉がより小さくなる。
【００２６】
[0043]  図２は、多入力多出力（ＭＩＭＯ）システム２００における送信機システム２１０（アクセスポイントとしても知られる）および受信機システム２５０（アクセス端末としても知られる）のブロック図を図示する。送信機システム２１０および受信機システム２５０は、ある態様に従った、本開示の実施形態であり得る。本開示の態様は、送信機システム２１０および受信機システム２５０によって実施され得る。例えば、図１６に図示される動作１６００は、送信機システム２１０によって行われ得、図１７に図示される動作１７００は、受信機システム２５０によって行われ得る。
【００２７】
[0044]  送信機システム２１０では、多数のデータストリームのためのトラフィックデータが、データソース２１２から送信（ＴＸ）データプロセッサ２１４に提供される。本開示の１つの態様では、各データストリームが、該当する送信アンテナを介して送信され得る。ＴＸデータプロセッサ２１４は、コード化されたデータを提供するために、各データストリームのためのトラフィックデータを、そのデータストリームのために選択された特定のコーディング方式に基づいて、フォーマット、コード化、およびインターリーブする。
【００２８】
[0045]  各データストリームのためのコード化データは、ＯＦＤＭ技法を使用してパイロットデータと多重化され得る。パイロットデータは、通常、既知の方法で処理されて、チャネル応答を推定するために受信機システムにおいて使用され得る既知のデータパターンである。各データストリームのための多重化されたパイロットデータおよびコード化データは、変調シンボルを提供するために、そのデータストリームのために選択された特定の変調方式（例えば、ＢＰＳＫ、ＱＳＰＫ、Ｍ−ＰＳＫ、またはＭ−ＱＡＭ）に基づいて変調（すなわち、シンボルマッピング）される。各データストリームのためのデータレート、コーディング、および変調は、プロセッサ２３０によって実行される命令によって決定され得る。メモリ２３２は、送信機システム２１０のためのデータおよびソフトウェアを記憶し得る。
【００２９】
[0046]  全てのデータストリームのための変調シンボルは、続いてこれら変調シンボルをさらに処理し得るＴＸ ＭＩＭＯプロセッサ２２０に提供される（例えば、ＯＦＤＭのために）。ＴＸ ＭＩＭＯプロセッサ２２０は、続いてＮＴ変調シンボルストリームをＮＴ送信機（ＴＭＴＲ）２２２ａ〜２２２ｔに提供する。本開示のある態様では、ＴＸ ＭＩＭＯプロセッサ２２０が、データストリームのシンボルと、シンボルの送信元であるアンテナとにビームフォーミング重みを適用する。
【００３０】
[0047]  各送信機２２２は、ＭＩＭＯチャネルを介した送信に適した被変調信号を提供するために、１つまたは複数のアナログ信号を供給し、これらアナログ信号をさらに調整（例えば、増幅、フィルタ処理、およびアップコンバート）するように、該当するシンボルストリームを受信し処理する。送信機２２２ａ〜２２２ｔからのＮＴ個の変調信号は、次に、それぞれＮＴ個のアンテナ２２４ａ〜２２４ｔから送信される。
【００３１】
[0048]  受信機システム２５０において、送信された被変調信号は、ＮＲ個のアンテナ２５２ａ〜２５２ｒによって受信され得、各アンテナ２５２からの受信信号は、該当する受信機（ＲＣＶＲ）２５４ａ〜２５４ｒに提供され得る。各受信機２５４は、サンプルを提供するために、該当する受信信号を調整（例えば、フィルタ処理、増幅、およびダウンコンバート）し、調整された信号をデジタル化し、さらに、対応する「受信」シンボルストリームを提供するために、サンプルを処理し得る。
【００３２】
[0049]  ＲＸデータプロセッサ２６０は次に、ＮＴ個の「検出」シンボルストリームを提供するために、特定の受信機処理技法に基づいて、ＮＲ個の受信機２５４からＮＲ個の受信シンボルストリームを受信し処理する。ＲＸデータプロセッサ６６０は次に、データストリームのためのトラフィックデータを再生するために、各検出されたシンボルストリームを復調し、デインターリーブし、復号する。ＲＸデータプロセッサ２６０による処理は、送信機システム２１０においてＴＸ ＭＩＭＯプロセッサ２２０およびＴＸデータプロセッサ２１４によって行われるものと補完的であり得る。
【００３３】
[0050]  プロセッサ２７０は、どのプリコーディングマトリクスを使用すべきかを定期的に決定する。プロセッサ２７０は、マトリクスインデックスの部分とランク値の部分とを備える逆方向リンクメッセージを構築する(formulates)。メモリ２７２は、受信機システム２５０のためのデータおよびソフトウェアを記憶し得る。逆方向リンクメッセージは、通信リンクおよび／または受信されたデータストリームに関する様々なタイプの情報を備え得る。逆方向リンクメッセージは次に、データソース２３６からの多数のデータストリームに関するトラフィックデータも受信するＴＸデータプロセッサ２３８によって処理され、変調器２８０によって変調され、送信機２５４ａ〜２５４ｒによって調整され、送信機システム２１０へ送り返される。
【００３４】
[0051]  １つまたは複数のプロセッサ２７０、ＲＸプロセッサ２６０、およびＴＸデータプロセッサ２３８は、本開示のある態様に従って、図１７に図示される動作１７００を行うことにおいて受信機システム２５０を指揮する。メモリ２７２は、動作１７００を行うことにおいて受信機システムを指揮するとき、プロセッサ、ＲＸデータプロセッサ、およびＴＸデータプロセッサによって実行されるべき命令またはコードを記憶し得る。
【００３５】
[0052]  送信機システム２１０において、受信機システム２５０からの被変調信号は、受信機システム２５０によって送信された逆方向リンクメッセージを抽出するために、アンテナ２２４によって受信され、受信機２２２によって調整され、復調器２４０によって復調され、ＲＸデータプロセッサ２４２によって処理される。プロセッサ２３０は次に、ビームフォーミング重みを決定するためにどのプリコーディングマトリクスを使用すべきかを決定し、次に抽出されたメッセージを処理する。
【００３６】
[0053]  １つまたは複数のプロセッサ２３０、ＲＸプロセッサ２４２、およびＴＸデータプロセッサ２１４は、本開示のある態様に従って、図１６に図示される動作１６００を行うことにおいて送信機システム２１０を指揮する。メモリ２３２は、動作１６００を行うことにおいて送信機システムを指揮するときにプロセッサ、ＲＸデータプロセッサ、およびＴＸデータプロセッサによって実行されるべき命令またはコードを記憶し得る。
【００３７】
[0054]  図３は、図１で図示されるワイヤレス通信システム内で採用されることになるワイヤレスデバイス３０２において利用できる様々なコンポーネントを図示する。ワイヤレスデバイス３０２は、本明細書で説明される様々な方法を実施するように構成され得るデバイスの例である。ワイヤレスデバイス３０２は、基地局１０２またはユーザ端末１１６および１２２のうちのいずれかであり得る。
【００３８】
[0055]  ワイヤレスデバイス３０２は、ワイヤレスデバイス３０２の動作を制御するプロセッサ３０４を含み得る。プロセッサ３０４はまた、中央処理ユニット（ＣＰＵ）とも呼ばれ得る。読取専用メモリ（ＲＯＭ）とランダムアクセスメモリ（ＲＡＭ）との両方を含み得るメモリ３０６は、命令およびデータをプロセッサ３０４に提供する。メモリ３０６の一部は、不揮発性ランダムアクセスメモリ（ＮＶＲＡＭ）も含み得る。プロセッサ３０４は通常、メモリ３０６内に記憶されたプログラム命令に基づいて、論理算術演算(logical and arithmetic operation)を行う。メモリ３０６内の命令は、本明細書で説明される方法を実施するために実行可能であり得る。
【００３９】
[0056]  ワイヤレスデバイス３０２はまた、ハウジング３０８を含み得、これはワイヤレスデバイス３０２と遠隔ロケーションとの間でデータの送信および受信を可能にするための送信機３１０および受信機３１２を含み得る。送信機３１０および受信機３１２は組み合わされてトランシーバ３１４になり得る。単一のまたは複数の送信アンテナ３１６は、ハウジング３０８に取り付けられて、トランシーバ３１４に電気的に結合され得る。ワイヤレスデバイス３０２はまた、（図示されていない）複数の送信機、複数の受信機、および複数のトランシーバを含み得る。
【００４０】
[0057]  ワイヤレスデバイス３０２はまた、トランシーバ３１４によって受信された信号のレベルを検出して定量化しようとする取り組みにおいて使用され得る信号検出器３１８を含み得る。信号検出器３１８は、総エネルギー、シンボルあたりのサブキャリアごとのエネルギー、電力スペクトル密度、および他の信号のような信号を検出し得る。ワイヤレスデバイス３０２はまた、信号を処理することにおいて使用するためのデジタル信号プロセッサ（ＤＳＰ）３２０を含み得る。
【００４１】
[0058]  ワイヤレスデバイス３０２の様々なコンポーネントは、データバスに加えて、電力バス、制御信号バス、およびステータス信号バスを含み得るバスシステム３２２によって共に結合され得る。
【００４２】
[0059]  加入者に利用可能なサービスを拡大するために、いくつかのモバイル局（ＭＳ）は、複数の無線アクセス技術（ＲＡＴ）での通信をサポートする。例えば、図４に例示されるように、マルチモードＭＳ ４１０は、ブロードバンドデータサービスのためのＬＴＥおよび音声サービスのための符号分割多元接続（ＣＤＭＡ）をサポートし得る。例示的に、ＬＴＥは第１のＲＡＴ ４２０１として表され、ＣＤＭＡは第２のＲＡＴ ４２０２として表され、Ｗｉ−Ｆｉは第３のＲＡＴ ４２２１として示される。
【００４３】
[0060]  あるアプリケーションでは、マルチＲＡＴインターフェース論理４３０は、ワイドエリア（例えば、長距離）のＲＡＴとローカルエリア（例えば、短距離）のＲＡＴとの両方の間で情報を交換するために使用され得る。これは、どのように（例えば、どのＲＡＴを介して）マルチモードＭＳ ４１０のエンドユーザが実際にネットワークに接続するかを、ネットワークプロバイダが制御することをイネーブルし得る。インターフェース論理４３０は、例えば、コアネットワークへのＩＰ接続性またはローカルＩＰ接続性をサポートし得る。
【００４４】
[0061]  例えば、ネットワークプロバイダは、利用可能なとき、ＷＬＡＮ（例えば、Ｗｉ−Ｆｉ ＷＬＡＮまたは他のローカルエリアＲＡＴ）を介してネットワークに接続するようにマルチモードＭＳを指揮することが可能であり得る。この能力は、ネットワークプロバイダが特定のエアリソース(air resources)の混雑を緩和する方式でトラフィックをルーティングすることを可能にし得る。実際、ネットワークプロバイダは、ワイドエリアＲＡＴのいくつかのエアトラフィック(air traffic)を有線ネットワークへ分散させるため、または、いくつかのエアトラフィックを混雑したワイヤレスネットワークから混雑の少ないワイヤレスネットワークに分散させるために、ローカルエリアＲＡＴを使用し得る。トラフィックは、例えばモバイルユーザがローカルエリアＲＡＴに適さないあるレベルへスピードを増加させるときのように条件が規定するときに(when conditions mandate)、ローカルエリアＲＡＴから再ルーティングされ得る。
【００４５】
[0062]  さらに、ワイドエリアＲＡＴは通常、数キロメートルにわたってサービスを提供するように設計されているため、ワイドエリアＲＡＴを使用するときのマルチモードＭＳからの送信の電力消費が重要になる。対照的に、ローカルエリアＲＡＴ（例えば、Ｗｉ−Ｆｉ）は、数百メートルにわたってサービスを提供するように設計される。従って、利用可能なときにローカルエリアＲＡＴを利用することは、マルチモードＭＳ ４１０によるより少ない電力消費をもたらし、結果的により長いバッテリ寿命をもたらし得る。
【００４６】
[0063]  明確さのために、ＬＴＥハンドオーバおよびＷＬＡＮハンドオーバプロシージャは、本願において独立であって切り離して扱われるが、開示された方法および装置が限定されるわけではない。
【００４７】
[0064]  ある態様に従って、ＬＴＥモビリティプロシージャは、以下に説明されるようなＷＬＡＮ ＡＰとｅＮＢとの間で交換される情報に関係する新しいＷＬＡＮを除いて、以前の規格（例えば、Ｒｅｌ−８）から変化しないでよい。ＷＬＡＮモビリティはＵＥ駆動型であり得、すなわち、ＵＥが自立的にＡＰと連携および連携解除し、データトラフィックのルーティング決定を為し得るサービングｅＮＢにこれら連携の変更を報告し得る。
【００４８】
[0065]  ある態様に従って、ＵＥは、ＡＰとの連携のための自立的な決定を為し、連携報告(Association Report)においてサービングｅＮＢへこの連携を報告する。連携報告は、ＡＰについての測定値を含み得る。例えば、ＵＥは、ＡＰへの接続のチャネル品質をサービングｅＮＢに報告し得る。
【００４９】
[0066]  ある態様に従って、ＵＥは、例えば、１つのＡＰのカバレッジエリアから別のＡＰのカバレッジエリアへのＵＥのモビリティに起因して、ＡＰを変更し得る。例えば、ビルにサービスするＡＰと連携するＵＥは、ビルの中から外の中庭へユーザによって運ばれることがあり、一旦ＵＥがビルを離れると、ＵＥは中庭にサービスするＡＰと連携し得る。
【００５０】
［相互作用しているリンクレイヤトラフィックアグリゲーションの例］
[0067]  上述されるように、事業者配備のＷＬＡＮは十分に利用されていないことが多いため、セルラネットワークからＷＬＡＮにトラフィックをオフロードすることが好ましいことがある。モバイル事業者は、どのトラフィックがＷＬＡＮを介してルーティングされるか、およびどのトラフィックがＷＷＡＮ（例えば、３ＧＰＰ ＲＡＮ）であり続けるかを制御でき得る。本開示の態様に従って、ＷＷＡＮからＷＬＡＮにベアラを切り替えるかどうかは、またはその逆も同様で、システムの有益な機能を最大化しながら、各ベアラのために「より良い」リンクを用いてベアラにサービスするという主要目標に基づいて決定され得る。ある態様に従って、より良いリンクは、ユーザのチャネル状態、トラフィック、および同じリンクを共有している他のユーザに部分的に基づいて決定され得る。例えば、いくつかのデータフロー（例えば、ＶｏＩＰまたは他の事業者のサービス）が、そのＱｏＳ能力を活用するために、ＷＷＡＮ上でサービスされ得る一方で、「ベストエフォート型の(best-effort)」インターネットトラフィックに関連するデータフローがＷＬＡＮにオフロードされ得る。ＵＥにサービスするために複数のＲＡＮをこうして組み合わせることは、「ＲＡＮアグリゲーション」と呼ばれ得る。より具体的には、ＲＡＮアグリゲーションは、ＬＴＥのような３ＧＰＰアクセスネットワークと、Ｗｉ−Ｆｉのような非３ＧＰＰアクセスネットワークとの間でトラフィックをオフロードするための手法である。データをオフロードするための、ＷＷＡＮ（ＬＴＥのような３ＧＰＰアクセスネットワーク）とＷＬＡＮ（Ｗｉ−Ｆｉのような非３ＧＰＰアクセスネットワーク）との間の相互作用もまた、ＲＡＮの規定によってイネーブルされ得る。これら規定は、ブロードキャストされるか、または、専用ＲＲＣシグナリングを介して送られ得る。加えて、非アクセス層（ＮＡＳ）メッセージは、３ＧＰＰ ＲＡＮまたは非３ＧＰＰ ＷＬＡＮへ向けられる(steered)ことを可能にされるアクセスパケットネットワーク（ＡＰＮ）の名称や、どのような条件下でオフロードが許可されるかのような、補助的な情報を与えるために使用され得る。ルール自体が、チャネル条件（例えば、受信信号品質）、ＷＬＡＮでの負荷、並びにいつベアラをステアリングする(steer)かのようなトリガとして迂回(backhaul)品質などの情報を使用する。あるトリガ(certain triggers)が満足されるとき、ＵＥがＡＰＮまたは特定のベアラを３ＧＰＰ ＲＡＮと非３ＧＰＰ ＲＡＮとの間で移すことを可能にされ得る。
【００５１】
[0068]  本開示を通して、多くの態様は、明確さのために、ＬＴＥおよびＷｉ−Ｆｉのような特定の無線アクセス技術（ＲＡＴ）の観点から論じられている。しかしながら、開示はそのように限定されず、またＲＡＴの任意の適切な組み合わせを使用するアグリゲーションに適用し得る。このため、ＢＳという用語は、他のデバイスにサービスする（例えば、ＵＥ、アクセス端末、または局にサービスする）どの様々な無線ノードをも指し得、長距離ＲＡＮ（すなわち、例えばＥ−ＵＴＲＡＮ ｅノードＢまたはＵＴＲＡＮ ＢＳなどのＷＷＡＮ）や、短距離ＲＡＮ（例えば、Ｗｉ−Ｆｉ ＡＰ、フェムト／ピコ／マイクロｅノードＢ、免許不要ＬＴＥ ｅノードＢなど）のＢＳを含み得る。
【００５２】
[0069]  ＵＥは、電気電子技術者協会（ＩＥＥＥ）規格のＩＥＥＥ ８０２．１１で特定されるようなプロシージャをスキャニングすることを行うことによってＷＬＡＮ ＡＰを認識し得、それは、一般に、受動的スキャニング(passive scanning)および能動的スキャニング(active scanning)を含む。例えば、Ｗｉ−Ｆｉ ＡＰのためのＩＥＥＥ ８０２．１１で定義されるような受動的スキャニングは、ＷＬＡＮ ＡＰビーコンの受信のために受信機をオンにした状態で待ち受けるため、ＵＥに対して非効率的であり得る。Ｗｉ−Ｆｉ ＡＰのためのビーコン送信間隔が約１００ミリ秒であるので、これが、スキャニングすべきたくさんのチャネルを伴って高いスキャニングエネルギー並びに高いスキャニングレイテンシをもたらす。能動的スキャニングはより速いが、ＷＬＡＮにトラフィックを上乗せする（例えば、Ｗｉ−Ｆｉのためのプローブ要求とプローブ応答）。能動的スキャニングは、電力集中的(power intensive)でもある。
【００５３】
[0070]  ＩＥＥＥ ８０２．１１ｕは、ＵＥがＡＰとの連携なしにＡＰについてのさらなる情報を発見するための追加メカニズムを定義している。例えば、汎用広告サービス（ＧＡＳ：generic advertisement service）は、ネットワークにおけるＵＥとサーバとの間で広告プロトコルのフレームをトランスポートし得る。ＡＰは、キャリアのネットワーク内でサーバにモバイルデバイスのクエリを中継し、サーバの応答をモバイルに戻すように配信することを担い得る。ＵＥがＷＬＡＮ ＡＰと連携せずにＷＬＡＮ ＡＰについての情報を発見するための別の例示的なメカニズムは、Ｗｉ−Ｆｉの場合に、例えば、アクセスネットワーククエリプロトコル（ＡＮＱＰ）などのサービス発見プロトコルであり、それは、一般に、ＵＥ／ＳＴＡによるアクセスネットワーク情報取得のためのクエリ広告プロトコル(query advertisement protocol)である。ＡＮＱＰは、Ｗｉ−Ｆｉの場合に、汎用広告サービス（ＧＡＳ）を介してトランスポートされ得る。ＡＮＱＰは、ホットスポット事業者のドメイン名と、このホットスポットを介して接続可能なローミングパートナーであって、これらのクレデンシャルタイプ(credential type)、並びに認証についてサポートされた拡張可能認証プロトコル（ＥＡＰ：extensible authentication protocol）方法とを伴うローミングパートナと、ＩＰアドレスタイプ利用可能性と、ＵＥのネットワーク選択プロセスにおける有益な他のメタデータとを含み得る。
【００５４】
[0071]  ＵＥは、ＷＬＡＮ ＡＰに関する測定値を提供するために、ＷＬＡＮ ＡＰと連携することを必要としないでよい。例えば、Ｗｉ−Ｆｉの場合に、ＵＥは、ＩＥＥＥ ８０２．１１ｋ、ＩＥＥＥ ８０２．１１ｕおよびホットスポット２．０において定義されるような追加手順のサブセットをサポートし得る。無線アクセスネットワーク（ＲＡＮ）に関して、ＷＬＡＮ ＡＰとＢＳとの間のインターフェースが存在しないことがある。しかしながら、例えば、コロケートされた(collocated)Ｗｉ−Ｆｉ ＷＬＡＮ ＡＰおよびＢＳの場合には、ＩＥＥＥ ８０２．１１ｋ、ＩＥＥＥ ８０２．１１ｕ、およびＷＬＡＮ ＡＰ上のホットスポット２．０情報が、ＢＳにおいて（例えば、バックホールリンクを介して）既知であることができ、ＵＥがこの情報を取得するためにＡＮＱＰを行うことを必要とされないでよい。効率的な受動的スキャニングがイネーブルされると、ＷＬＡＮ ＡＰはＲＡＮ上のＢＳによって広告される(advertised)時にそのビーコンを送信し得る。言い換えると、ＷＬＡＮ ＡＰは、セルラタイミングおよびＳＦＮを取得でき、ＲＡＮによって広告されるビーコン送信時間を知ることができる。２つのレベルの報告がＷＬＡＮ ＡＰを識別するためにＵＥによって使用でき、これはＷＬＡＮ ＡＰを（例えば、サービスセット識別子（ＳＳＩＤ）またはベーシックサービスセット識別（ＢＳＳＩＤ）、組織識別子(Organizational Identifier)、サポートされたサービスプロバイダなどのようなネットワーク識別子に基づいて）直接、すなわち、ビーコンのみから識別することと、ＩＥＥＥ ８０２．１１ｋ、ＩＥＥＥ ８０２．１１ｕ、またはＡＮＱＰ（例えば、コロケートされないＡＰおよびｅＮＢの場合に）を使用するホットスポット２．０識別情報を取得することである。ネットワーク識別子は、１つのＷＬＡＮを他のものから区別するために使用され得る。本開示のいくつかの態様によると、この情報をＷＬＡＮ ＡＰとＢＳとの間で交換するためのバックホールインターフェースを有することが可能である。
【００５５】
[0072]  図５は、Ｓ１インターフェース５０２を介してＲＡＮで終端する別個の発展型パケットシステム（ＥＰＳ）ベアラ５３４、５３６を使用する、ワイドエリア無線アクセスネットワーク（ＲＡＮ）へのＷＬＡＮのための基準アーキテクチャ５００を図示する。ＰＤＮサービスへのアクセスおよび関連するアプリケーションは、ＥＰＳベアラによってＵＥ ５０８に提供される。デフォルトベアラ(Default Bearer)５０４は通常、添付中に確立され、ＰＤＮ接続の存続期間を通じて維持される。サービス要求またはサービスへのアクセスの結果として、さらなる専用ベアラ５０６が動的に確立されることができる。図５におけるアーキテクチャは、ＬＴＥのような３ＧＰＰアクセスネットワークまたは高速パケットアクセス（ＨＳＰＡ）およびＷＬＡＮシステムのような非３ＧＰＰアクセスネットワークとの間のＲＡＮアグリゲーション機能の１つの実施形態である。これは、３ＧＰＰ加入者によるＷＬＡＮアクセスサービスの使用を許可する。図５のＵＥは、単一のＷＬＡＮインターフェース（例えば、ＷＬＡＮ通信可能なトランシーバ）を有する。
【００５６】
[0073]  図５で図示されるように、ＵＥは、ワイドエリアワイヤレス（例えば、ＬＴＥ、ＵＴＲＡＮ、ＧＥＲＡＮなどの）ネットワークを介してｅＮＢ ５１０または他のＢＳによって、並びにローカルエリアワイヤレス（例えば、Ｗｉ−Ｆｉ）ネットワークを介してＷＬＡＮ ＡＰ ５１２または他のＢＳによってサービスされ得る。図５はｅＮＢを示しているが、ワイドエリアネットワークのＢＳは、ＵＴＲＡＮ ノードＢ、Ｅ−ＵＴＲＡＮ ｅノードＢ、アクセスポイント、またはワイドエリアワイヤレスネットワークをサポートする他の無線ノードであり得る。同様に、ローカルエリアネットワークのＢＳは、フェムトノード、ＷＬＡＮ ＡＰ、またはローカルエリアワイヤレスネットワークをサポートする何か他の無線ノードのような、低電力Ｅ−ＵＴＲＡＮ ｅノードＢであり得る。
【００５７】
[0074]  本開示の態様によると、ワイドエリアネットワークのＢＳは、Ｓ１−モビリティ管理エンティティ（ＭＭＥ）インターフェース５１８を介するコアネットワーク（すなわち、ＥＰＣ）５１６内のＭＭＥと通信し、Ｓ１−Ｕインターフェース５２０を介してサービングゲートウェイ（ＳＧＷ）と通信し得る。ローカルエリアネットワークのＢＳは、Ｓ２ａおよび／またはＳ２ｂインターフェース５２４を介するコアネットワーク内の発展型パケットデータゲートウェイ（ｅＰＤＧ）または信頼性の高いワイヤレスアクセスゲートウェイ（ＴＷＡＧ：trusted wireless access gateway）５２２と通信し得る。ローカルエリアネットワークのＢＳはまた、ＵＥとインターネットエンティティとの間でインターネットプロトコル（ＩＰ）トラフィックの非シームレスＷＬＡＮオフロード（ＮＳＷＯ：non-seamless WLAN offload）を提供するために、インターネットエンティティ５２６と直接通信し得る。ＮＳＷＯは、ＥＰＣを通ることなく、ＷＬＡＮアクセスネットワークを介して特定のＩＰフローをルーティングすることをサポートするために、ＵＥによって使用され得る。また、発展型パケットコア（ＥＰＣ）内に含まれる１つまたは複数のエンティティは、アクセスネットワークの発見および選択機能（ＡＮＤＳＦ：access network discovery and selection function）をサポートし、それは、ＵＥがＷｉ−Ｆｉネットワークのような非３ＧＰＰアクセスネットワークを発見することを手助けする。ＡＮＤＳＦは、（ＬＴＥのような）３ＧＰＰアクセスネットワークと（Ｗｉ−Ｆｉのような）非３ＧＰＰアクセスネットワークとの間でオフロードすることを制御するために使用され得る。ＡＮＤＳＦはまた、これらのネットワークへの接続に関するルールをＵＥに提供する。ＭＭＥは、Ｓ６ａインターフェースを介してホーム加入者サーバ（ＨＳＳ：home subscriber server）５２８と通信し、Ｓ１１インターフェースを介してサービングゲートウェイ（ＳＧＷ）５３０と通信し得る。１つまたは複数のＭＭＥ ５１４は、Ｓ１０インターフェースを介して互いと通信し得る。ＳＧＷ、ｅＰＤＧ、およびＴＷＡＧは、Ｓ５インターフェースを介してパケットゲートウェイ（ＰＧＷ）５３２と通信し得る。ＰＧＷは、ＳＧｉインターフェースを介してインターネットエンティティと通信し得る。
【００５８】
[0075]  本開示の態様によると、ＲＡＮアグリゲーションで、ＵＥは、ＬＴＥ ｅＮＢおよびＷＬＡＮ ＡＰ（例えば、Ｗｉ−Ｆｉ ＡＰ）に同時に接続でき、これが図５で示されるようなユーザのシグナリングおよびデータトラフィックをトランスポートするための無線アクセスリンクを提供する。ｅＮＢおよびＡＰは、論理的にコロケートされたり、コロケートされなかったりし得る。ユーザのデータまたはシグナリングベアラは、ＬＴＥまたはＷｉ−Ｆｉのどちらかの無線リンクによってサービスされ得る。データベアラは、２つのエンドポイント間で「仮想」接続を確立して、トラフィックがこれらの間で送信されることができるようにする。データベアラは、２つのエンドポイント間でデータのためのパイプライン役を務める。本開示の態様によると、ＬＴＥとＷｉ−Ｆｉとの間でオフロードするデータベアラおよび相互作用を確立し制御するための方法が説明される。相互作用に関して、利用可能なリンクの各々の性能は、何らユーザ介入なしに、（例えば、ｅＮＢまたはＭＭＥによって）リアルタイムベースで自立的に評価され、各データベアラのための「最良の実行可能な(best possible)」リンクが選択され得る。性能の評価は、全体的観点(end-to-end perspective)でパラメータの大きさを考察し得る。決定のために考慮されるパラメータのいくつかは、ＷＷＡＮおよびＷＬＡＮリンク上の信号およびチャネル品質、利用可能な帯域幅レイテンシ、並びに、どのアプリケーションとサービスがＷｉ−Ｆｉに移され得るか、およびどれが３ＧＰＰ ＲＡＮに制限されるかに関する事業者ポリシを含み得る。
【００５９】
[0076]  図６は、ＲＡＮエンティティ（例えば、ＰＧＷまたはＳＧＷ）で終端する(terminating)別個のＥＰＳベアラを使用するワイドエリアＲＡＮ（例えば、ＬＴＥ、ＵＴＲＡＮ、ＧＥＲＡＮ）アグリゲーションへのＷＬＡＮ（例えば、Ｗｉ−Ｆｉ、ＬＴＥ−Ｕなど）のためのＲＡＮエンティティ（例えばＰＧＷまたはＳＧＷ）６０２とＵＥ６０４との間の例示的なユーザプレーン６００を図示する（すなわち、ＵＥがＷＬＡＮ ＢＳ（例えば、Ｗｉ−Ｆｉ ＡＰまたはピコｅＮＢ）６０６を介してベアラ上のパケットを送信または受信する）。例示的なユーザプレーンでは、ＡＰまたはｅＮＢが、１つまたは複数のＳ１インターフェース６０８を通るコンテキストを、汎用パケット無線サービストネリングプロトコルユーザデータトネリング（ＧＴＰ−Ｕ：generic packet radio service tunneling protocol user data tunneling）レイヤ、ユーザデータグラムプロトコル（ＵＤＰ）レイヤ、ＩＰレイヤ、レイヤ２（Ｌ２）またはメディアアクセス制御（ＭＡＣ）レイヤ、およびレイヤ１（Ｌ１）または物理レイヤにおいてＳＧＷまたはＰＧＷと共有し得る。ＵＥは、ＷＬＡＮインターフェース６１０を通るコンテキストを、ＷＬＡＮ ＭＡＣレイヤおよびＷＬＡＮ物理（ＰＨＹ）レイヤにおいてＡＰまたはｅＮＢと共有し得る。ＵＥおよびＰＧＷは、ＵＥのサービングマクロｅＮＢを介するＲＡＮエンティティとＵＥとの間で確立され得る任意のＥＰＳベアラから独立しているＥＰＳベアラ６１２を介して、上位ＩＰレイヤにおけるコンテキストを共有し得る。
【００６０】
[0077]  無線リンク制御（ＲＬＣ）パケットは、ＬＴＥのいくつかのリリース（例えば、Ｒｅｌ−８）において、パケットのＭＡＣヘッダ内の関連するＥＰＳベアラを指示し得る。このように、ＷＬＡＮ内のベアラとパケットアグリゲーションとの両方について、ＵＥとＵＥのサービングＢＳとは、１より多いベアラがＷＬＡＮによってサービスされる場合に、各パケットのＷＬＡＮ ＭＡＣヘッダ内の適切なＥＰＳベアラのための論理チャネル（ＬＣ）ＩＤを指示し得る。論理チャネルＩＤ（ＬＣＩＤ）は、データ無線ベアラ（ＤＲＢ）をＭＡＣレイヤにおいてＥＰＳベアラにマッピングするために使用される。無線ベアラは、ＵＥとＵＥのサービングＢＳとが、無線プロトコルレベルにおいて適切なサービス品質（ＱｏＳ）でユーザにサービスを提供できるように、各ＬＣＩＤによって指定される。すなわち、ＵＥとＵＥのサービングＢＳとは、無線パケットからＬＣＩＤを読み取り、ＬＣＩＤに基づいてＥＰＳベアラを決定し、そのＥＰＳベアラについてのＱｏＳを決定し、次に、決定されたＱｏＳに基づいて無線パケットからのデータのさらなる処理を優先的に行う。
【００６１】
[0078]  本開示のある態様によると、パケットのＷＬＡＮ ＭＡＣヘッダの既存のフィールドは、パケットのＬＣＩＤを指示するために使用され得る。例えば、ＵＥとＵＥのサービングＢＳとは、パケットの関連するベアラを指示するために、パケットのＷＬＡＮ ＭＡＣ内で仮想ＬＡＮ（ＶＬＡＮ）タグを使用できる。
【００６２】
[0079]  図７は、上述されるような、ＵＥとＡＰまたはｅＮＢとの両方に対してＥＰＳベアラを識別するためのさらなるＬＣＩＤレイヤ７０２を用いた、ＲＡＮエンティティ（例えば、ＰＧＷまたはＳＧＷ）で終端する別個のＥＰＳベアラを使用するワイドエリアＲＡＮ（例えば、ＬＴＥ、ＵＴＲＡＮ、ＧＥＲＡＮ）アグリゲーションへのＷＬＡＮ（例えば、Ｗｉ−Ｆｉ、ＬＴＥ−Ｕなど）のための、ＵＥとＲＡＮエンティティ（例えば、ＰＧＷまたはＳＧＷ）との間の例示的なユーザプレーン７００を図示する。例示的なユーザプレーン７００のエンティティおよび他のレイヤは、図６を参照して上述される例示的なユーザプレーン６００のものと類似する。
【００６３】
[0080]  本開示のある態様によると、さらなるヘッダが、図７で示されるような関連するパケットのＥＰＳベアラを指示するために、ＷＬＡＮを介して送られ得る。例えば、ＵＥおよびＡＰは、関連するベアラを指示するために、汎用ルーチンカプセル化(ＧＲＥ：generic routing encapsulation）ヘッダのように、ベアラのパケット内にさらなるヘッダを含み得る。図７に図示されるように、ＵＥとＡＰまたはｅＮＢとは、上記のＷＬＡＮ ＭＡＣレイヤのレイヤにおいてＬＣＩＤのためのコンテキストを共有し得る。
【００６４】
[0081]  ＵＥは、Ｗｉ−Ｆｉアクセス、信頼性のあるアクセス、または信頼性のないアクセスのうちの少なくとも２つのタイプを使用して、ＷＬＡＮを介してＥＰＣネットワークに接続できる。本開示の態様によると、ＵＥは、Ｓ２ｂインターフェース（図５を参照）を介してｅＰＤＧ に接続することによって、信頼性のない（すなわち、３ＧＰＰ ＥＰＣネットワークによって信頼されていない）ＷＬＡＮを介して３ＧＰＰ発展型パケットコア（ＥＰＣ）ネットワークに接続し得る。ＵＥは、Ｓ２ｂインターフェースを介してインターネットプロトコルセキュリティ（ＩＰＳｅｃ）を使用してｅＰＤＧに接続し得る。ｅＰＤＧは、Ｓ５インターフェースを介して汎用パケット無線サービス（ＧＰＲＳ）トネリングプロトコル（ＧＴＰ：general packet radio service (GPRS) Tunneling Protocol）またはプロキシモバイルインターネットプロトコル（ＰＭＩＰ：Proxy Mobile Internet Protocol）によって作成された安全なソーストンネルを使用して、ＰＤＮゲートウェイに接続し得る。ＵＥは、ＷＬＡＮ ＡＰと連携する必要があり、ｅＰＤＧへの接続を確立するために、インターネット接続にアクセスを有し得る。発展型パケットデータゲートウェイ（ｅＰＤＧ）は、４Ｇモバイルコアネットワークのネットワーク機能の一部であり、発展型パケットコア（ＥＰＣ）とも呼ばれ得る。ｅＰＤＧは、Ｗｉ−ＦｉおよびＥＰＣのような、信頼性のない非３ＧＰＰネットワーク間での安全な相互作用を担っている。
【００６５】
[0082]  本開示の態様によると、ＵＥは、Ｓ２ａインターフェース（図５を参照）を介してＴＷＡＧに接続することによって、信頼性された（すなわち、３ＧＰＰ ＥＰＣネットワークによって信頼された）ＷＬＡＮを介して３ＧＰＰ発展型パケットコア（ＥＰＣ）ネットワークに接続し得る。信頼性のあるアクセスを用いて、ＥＰＣとＷＬＡＮとの間の認証およびデータ保護に関する安全な接続が存在する。ＵＥがＳ２ａ接続をサポートするＡＰに連携する場合、ＵＥは、Ｓ２ａインターフェースを介してＴＷＡＧに接続し得る。ＴＷＡＧは、Ｓ５インターフェースを介してＧＰＲＳトネリングプロトコル（ＧＴＰ）またはプロキシモバイルインターネットプロトコル（ＰＭＩＰ）を使用して、ＰＤＮゲートウェイに接続し得る。Ｓ２ａをサポートするＷＬＡＮ ＡＰと連携するＵＥもまた、ＷＬＡＮ ＡＰからのＮＳＷＯサービスを獲得し得る。
【００６６】
[0083]  図８は、本開示の態様に従った、Ｓ１インターフェース５０２を介してＲＡＮで終端する、別個の発展型パケットシステム（ＥＰＳ）ベアラを使用するワイドエリア無線アクセスネットワーク（ＲＡＮ）アグリゲーションへのＷＬＡＮのための基準アーキテクチャ８００を図示する。図８のアーキテクチャは、３ＧＰＰとＷＬＡＮシステムとの間のＲＡＮアグリゲーション機能の１つの実施形態である。ＲＡＮアグリゲーションは、３ＧＰＰ加入者によるＷＬＡＮアクセスサービスの使用を許可する。図８で図示されるアーキテクチャは、図５で図示されるアーキテクチャ５００に類似するものの、図８のＵＥ ８０２が２つのＷＬＡＮインターフェース（例えば、ＷＬＡＮ通信可能な２つのトランシーバ）を有することと、２つのＷＬＡＮ ＡＰ ５１２ａ、５１２ｂがＵＥの領域内に存在するという差異を伴う。
【００６７】
[0084]  本開示の態様によると、ユーザは、ＬＴＥ ｅＮＢと２つのＷｉ−Ｆｉ（すなわち、Ｗｉ−Ｆｉ）ＡＰに同時に接続され得、それは、図８で示されるような、ユーザのシグナリングとデータトラフィックとをトランスポートするための無線アクセスリンクを提供する。ｅＮＢおよびＡＰは、論理的にコロケートされたり、コロケートされなかったりし得る。ユーザのデータまたはシグナリングベアラは、ＬＴＥまたはＷｉ−Ｆｉどちらかの無線リンクによってサービスされ得る。ＵＥとＷＬＡＮ ＢＳとは１より多い接続のタイプを有して、各タイプの接続が別個の目的のために確立され得る。例えば、図８に図示されるように、ＵＥは、ＲＬＣアグリゲートされるベアラのためにＷＬＡＮ ＡＰ ５１２ａへの第１の接続ＷＬＡＮ １を確立し、ＵＥは、Ｓ２ａまたはＳ２ｂインターフェースによってＥＰＣに搬送されるベアラおよび／またはＷＬＡＮ ＡＰによって提供されるＮＳＷＯサービスによってサービスされるベアラのためにＷＬＡＮ ＡＰへの第２の接続ＷＬＡＮ ２を確立し得る。図７を参照して上述されるように、ＵＥおよびＷＬＡＮ ＡＰは、第１の接続と第２の接続のために使用される無線パケット内にＬＣＩＤを含めることによって、第１の接続と第２の接続とを区別し得る。
【００６８】
[0085]  本開示の態様によると、ＵＥがＲＡＮアグリゲーションからの恩恵を受ける(benefit)ことを可能にし得るローカルエリアネットワークの他のＢＳ、または１つまたは複数のＷＬＡＮ ＡＰを用いて、ワイヤレスローカルエリアネットワーク接続を確立し得る。本開示の態様によると、ＲＡＮアグリゲーションを確立するために、およびＵＥがＷＬＡＮを介してＰＤＮ接続のセットをアクティブ状態に維持するために、ＲＡＮアグリゲーションが開始されることができると決定するためのネットワークについてのメカニズムが開示される。これら態様によると、ＲＡＮアグリゲーションのトリガが、ＷＬＡＮを介する既存のＰＤＮ接続に影響を与えないことができる。
【００６９】
[0086]  本開示の態様によると、サービングワイドエリアＲＡＮ（例えば、Ｅ−ＵＴＲＡＮ ＵＴＲＡＮ、またはＧＥＲＡＮ）は、サービスされたＵＥがまた、例えばワイドエリアＲＡＮなどのワイヤレスローカルエリアネットワークによってサービスされることを発見し得、サービスされたＵＥがＷＬＡＮ（例えば、Ｗｉ−ＦｉまたはＬＴＥ−Ｕ）接続を有することを決定し得る。
【００７０】
[0087]  本開示の態様によると、ＵＥは、ＵＥが接続されたＷＬＡＮ ＡＰのアイデンティティ、または利用可能なＷＬＡＮ ＡＰのリストを、ＵＥのサービングワイドエリアＲＡＮエンティティ（例えば、ｅＮＢまたはＭＭＥ）に送り得る。ＵＥはまた、もしあれば、例えば、サービスされたベアラまたはアクセスポイント名（ＡＰＮ）を指示することによって、あるいはＵＥがＮＳＷＯ、Ｓ２ｂ、Ｓ２ａ接続を使用しているという指示によって、どのトラフィックがＷＬＡＮを介して送られるかを指示し得る。本開示の態様によると、ＵＥは、ＷＬＡＮトラフィックがワイドエリアＲＡＮとのＲＡＮアグリゲーションを使用することが可能であるか、またはワイドエリアＲＡＮを介して送られ得るかの指示を送り得る。例えば、ＵＥは、トラフィックがＮｅｔｆｌｉｘからのストリーミングビデオであり、このトラフィックがセルラを介して送られることができないことをＲＡＮに通知し、これが事実上このトラフィックがアグリゲートされることができないことを指す。
【００７１】
[0088]  本開示の態様によると、特定のＢＳ、あるいは１つまたは複数のＡＰのためのアクセスコントローラとのＲＡＮアグリゲーションをイネーブルするように構成されるワイヤレスローカルエリアネットワークのＡＰ（例えば、Ｗｉ−Ｆｉ ＡＰ、フェムト／ピコ／マイクロノードなど）は、定期的にまたはワイドエリアＲＡＮエンティティからのリクエストに応じてのどちらかで、１つまたは複数のＷＬＡＮ ＡＰに接続されたＵＥのリストを送り得る。
【００７２】
[0089]  本開示の態様によると、ＵＥは、サービングＷＬＡＮ ＡＰ（例えば、Ｗｉ−Ｆｉ ＡＰ、フェムト／ピコ／マイクロノードなど）にＵＥのサービングワイドエリアＲＡＮのアイデンティティ（例えば、ＰＬＭＮ、セルＩＤなど）、およびＵＥのセルラアイデンティティを送り得る。ＷＬＡＮ ＡＰは、このような情報を受信することに伴って、ＷＬＡＮ ＡＰがＵＥにサービスするワイドエリアＲＡＮとのＲＡＮアグリゲーションをイネーブルするように構成されることを検証し（例えば、ＰＬＭＮ ＩＤ、セルＩＤなどを検証する）得、ＵＥがＷＬＡＮ ＡＰに送ったＵＥのアイデンティティを提供するワイドエリアＲＡＮへの指示を送り得る。
【００７３】
[0090]  本開示の態様によると、ワイドエリアＲＡＮは、（例えば、ＵＥが接続されるワイドエリアＲＡＮセルのアイデンティティに基づいて）特定のＵＥに対するＲＡＮアグリゲーションのために使用され得るＷＬＡＮ ＡＰ（例えば、Ｗｉ−Ｆｉ ＡＰ、フェムト／ピコ／マイクロノードなど）のアイデンティティを用いて構成され得る。いくつかの場合には、ＷＬＡＮ ＡＰは、ＲＡＮアグリゲーションのための別個のアイデンティティ（例えば、ネットワーク識別子またはサービスセット識別子（ＳＳＩＤ））と、通常の（例えば、ＲＡＮアグリゲーションを用いないＷｉ−Ｆｉなどの）サービスを使用し得る。これら態様によると、ワイドエリアＲＡＮ（すなわち、１つまたは複数のＲＡＮエンティティ）は、別個のアイデンティティを認識し得、ワイドエリアＲＡＮは、ＵＥがＲＡＮアグリゲーションのために使用できるＡＰのリスト内のＡＰのうちの１つに接続されたことを（例えば、ＵＥによって送信された指示によって）通知され得る。
【００７４】
[0091]  本開示の特定の態様によると、ワイドエリアＲＡＮエンティティ（例えば、ｅＮＢまたはＭＭＥ）は、サービスされるＵＥが、ＲＡＮアグリゲーションを可能にするＷＬＡＮ ＢＳ（例えば、Ｗｉ−Ｆｉ ＡＰ、フェムト／ピコ／マイクロノードなど）に接続されたことの指示をワイドエリアＲＡＮエンティティ（例えば、ｅＮＢまたはＭＭＥ）が取得することに基づいて、サービスされるＵＥのためのＲＡＮアグリゲーションをトリガし得る。
【００７５】
[0092]  図９は、ワイドエリアＲＡＮが、サービスされるＵＥのためのＲＡＮアグリゲーションをトリガするための例示的なコールフローを図示する。９０２で、ＵＥ ５０８は、ワイドエリアＲＡＮ ＢＳ（例えば、ｅＮＢ）５１０とＷＬＡＮ ＡＰ（例えば、Ｗｉ−Ｆｉ ＡＰ、フェムト／ピコ／マイクロノードなど）５１２とに接続され得る。ＷＬＡＮ ＡＰへの接続は、Ｓ２ａ接続、Ｓ２ｂ接続、ＮＳＷＯ接続、または図５を参照して上述されるような任意の組み合わせの接続のために使用され得る。本開示の第１の態様において、９０４で、ＵＥは、ＵＥがＷＬＡＮ ＡＰに接続されたことをワイドエリアＲＡＮ ＢＳに報告し得る。本開示の第２の態様において、９０６で、ＷＬＡＮ ＡＰは、接続されたＵＥのリストをワイドエリアＲＡＮに送り得る。本開示の第３の態様において、９０８で、ＵＥは、ワイドエリアＲＡＮとの接続をＷＬＡＮ ＡＰに報告し得る。９１０で、ＷＬＡＮ ＡＰは、ＵＥがＷＬＡＮ ＡＰに接続されたことをワイドエリアＲＡＮに報告し得る。ワイドエリアＲＡＮが９０４、９０６、および９１０で受信する１つまたは複数の報告に基づいて、ワイドエリアＲＡＮは、９１２でＲＬＣアグリゲーションを開始することを決定し得る。
【００７６】
[0093]  本開示の特定の態様によると、ＩＰフローモビリティ（ＩＦＯＭ）と接続されたデバイスは、少なくとも１つのＰＤＮ接続についてアクティブであり（すなわち、ＰＤＮのいくつかのＩＰフローは、ＵＥベースのＩＦＯＭであろうと、またはネットワークベースのＩＦＯＭ（ＮＢ−ＩＦＯＭ）であろうと、セルラを介するものであり、またいくつかはＷＬＡＮを介するものである）、複数の態様９０４、９０６、９０８、および９１０が使用される場合、次に、ワイドエリアＲＡＮ ＢＳ（例えば、ｅＮＢ）は、複数のＷＬＡＮ ＡＰへのＵＥの接続に関する複数セットの情報を受信し得る。これら態様によると、ワイドエリアＲＡＮ ＢＳは、受信されたセットの情報を比較し、ＲＡＮアグリゲーションに参加するために複数セットの情報に含まれるＷＬＡＮ ＡＰまたは複数のＷＬＡＮ ＡＰのセットを選択し得る。
【００７７】
[0094]  本開示の態様によると、ワイドエリアＲＡＮエンティティは、非アクセス層（ＮＡＳ：non-access stratum）レベルにおいてＲＡＮアグリゲーションをトリガし得る。非アクセス層（ＮＡＳ）は、制御プレーンのために使用され、コアネットワーク（ＣＮ）のモビリティ管理エンティティ（ＭＭＥ）と、ＬＴＥまたはＥ−ＵＴＲＡＮアクセスのためのＵＥとの間で非無線シグナリングを搬送する。これら態様によると、ワイドエリアＲＡＮエンティティは、ＲＡＮアグリゲーションが実行可能でかつ開始し得ると決定することに伴って、ＭＭＥまたはＳＧＳＮにこの指示を送り得る。指示を受信することに伴い、かつどのＡＰＮがＷＬＡＮにオフロードされることができるかの情報に基づいて、ＭＭＥまたはＳＧＳＮが、ＲＡＮアグリゲーションを開始することを決定する。ＭＭＥは次に、ＲＡＮアグリゲーションをトリガするために、ＮＡＳメッセージをＵＥに送り得る。
【００７８】
[0095]  本開示のある態様によると、ＵＥは、非アクセス層（ＮＡＳ）レベルにおいてＲＡＮアグリゲーションをトリガし得る。これら態様によると、ＵＥは、ＵＥが接続されたＷＬＡＮ ＡＰ（例えば、Ｗｉ−Ｆｉ ＡＰ、フェムト／ピコ／マイクロノードなど）のアイデンティティ、または利用可能なＷＬＡＮ ＡＰのリストを、ＮＡＳシグナリングを介してＭＭＥまたはＳＧＳＮに送り得る。ＵＥはまた、どのトラフィックが例えばベアラまたはＡＰＮなどのＷＬＡＮを介して送られるか、あるいはＵＥがＮＳＷＯ、Ｓ２ｂ、Ｓ２ａ接続を使用しているという指示を指示し得る。ＵＥはまた、トラフィックがＲＡＮアグリゲーションを使用できるか、またはワイドエリアＲＡＮを介して送られるかの指示を送り得る。このような情報（例えば、ＷＬＡＮ ＡＰアイデンティティ、ＷＬＡＮトラフィック、トラフィックがＲＡＮアグリゲーションを使用し得るかどうかなど）を受信することに伴って、かつどのＡＰＮがＷＬＡＮにオフロードされることができるかの情報に基づいて、ＭＭＥまたはＳＧＳＮがＲＡＮアグリゲーションを開始することを決定し得る。どのＡＰＮがＷＬＡＮにオフロードされることができるかの情報は、ＭＭＥまたはＳＧＳＮによるＰＤＮ接続確立に伴って、ＭＭＥまたはＳＧＳＮによってＵＥに提供され得る。ＭＭＥは次に、ＵＥへのＲＡＮアグリゲーションをトリガするＮＡＳメッセージを送り得る。ＲＡＮアグリゲーションのための決定をＭＭＥへ移すことは、競合(conflict)を低減できる。
【００７９】
[0096]  図１０Ａおよび１０Ｂは、ＲＡＮアグリゲーションが使用され得る例示的なワイヤレス通信システム１０００を図示する。図１０Ａは、ＲＡＮアグリゲーションを開始する前における例示的なＵＥ ５０８、ワイドエリアＲＡＮ ＢＳ（例えば、ｅＮＢ） ５１０、ＷＬＡＮ ＡＰ（例えば、Ｗｉ−Ｆｉ ＡＰ、フェムト／ピコ／マイクロノードなど）５１２、コアネットワーク、およびインターネットを図示する。図示されるように、ＵＥは、ＰＤＮの第１のセットのためのワイドエリアＲＡＮに接続され、およびＰＤＮの第２のセットのためのＷＬＡＮ ＡＰまたはＮＳＷＯ、あるいは両方に接続される。図１０Ｂは、ＲＡＮアグリゲーションが開始した後における同一のＵＥ、ワイドエリアＲＡＮ ＢＳ、ＷＬＡＮ ＡＰ、コアネットワーク、およびインターネットを図示する。ＵＥは、いくつかがＲＡＮアグリゲーションを使用するＰＤＮの第１のセットのためにワイドエリアＲＡＮに接続され、ＰＤＮの第２のセットのためにＷＬＡＮ ＡＰを介してワイドエリアＲＡＮに接続される。
【００８０】
[0097]  図１１は、単一のＷＬＡＮ接続を有するＵＥ ５０８のためのトラフィックモビリティおよびＲＡＮアグリゲーションをトリガするための例示的なコールフロー１１００を図示する。図示されるコールフローは、図１０Ｂで図示されるＲＡＮアグリゲーションを開始するために図１０Ａで図示されるＵＥ、ｅＮＢ、ＡＰ、およびコアネットワークエンティティによって使用され得る。１１０２で、ＵＥはＰＤＮセット１のためにワイドエリアＲＡＮ ＢＳ（例えば、ｅＮＢ）５１０に接続し、ＷＬＡＮ ＡＰ（例えば、Ｗｉ−Ｆｉ ＡＰ、フェムト／ピコ／マイクロノードなど）５１２に接続し得る。ＷＬＡＮ ＡＰの接続は、Ｓ２ａ接続またはＳ２ｂ接続上のＰＤＮセット１のために、ＮＳＷＯ接続のために、または任意の接続の組み合わせのために使用され得る。１１０４で、ワイドエリアＲＡＮは、ＲＬＣアグリゲーションを開始することを決定し得る。１１０６で、ワイドエリアＲＡＮ ＢＳは、ＲＡＮアグリゲーションを開始するためにＵＥにコマンドを送り得る。１１０８で、ＵＥは、ＷＬＡＮ ＡＰに明確な切断の通知を送ることなく、およびｅＰＤＧまたはＴＷＡＧへのＵＥが有する任意のＳ２ａおよびＳ２ｂ接続を切断することなく、ＷＬＡＮ ＡＰから切断し得る。本開示の第１の態様において、１１１０で、ＵＥは、ＷＬＡＮ ＡＰの切断を検出し、ワイドエリアＲＡＮへのＰＤＮセット２のハンドオーバをトリガし得る。ＵＥはまた、１１１０で、ワイドエリアＲＡＮを介してトランスポートされたＰＤＮにＮＳＷＯからのＩＰトラフィックを転送し得る。本開示の第２の態様において、１１１２で、ＵＥのネットワークソフトウェアスタックの下位レイヤは、ＲＬＣアグリゲーションがアクティブであるとの指示を、ＵＥのネットワークソフトウェアスタックの上位レイヤに送り得る。ＵＥのネットワークソフトウェアスタックの上位レイヤは、１１１２で、ワイドエリアＲＡＮへのＰＤＮセット２のハンドオーバをトリガし得る。ＵＥはまた、１１１２で、ワイドエリアＲＡＮ上のＰＤＮにＮＳＷＯからのＩＰトラフィックを転送し得る。
【００８１】
[0098]  図１２Ａおよび１２Ｂは、ＲＡＮアグリゲーションが使用され得る例示的なワイヤレス通信システム１２００を図示する。図１２Ａは、ＲＡＮアグリゲーションを開始する前における例示的なＵＥ ５０８、ワイドエリアＲＡＮ ＢＳ（例えば、ｅＮＢ）５１０、ＲＡＮアグリゲーションに参加できるＷＬＡＮ ＡＰ１（例えば、Ｗｉ−Ｆｉ ＡＰ、フェムト／ピコ／マイクロノードなど）５１２ａ、ＲＡＮアグリゲーションに参加できないＷＬＡＮ ＡＰ２（例えば、Ｗｉ−Ｆｉ ＡＰ、フェムト／ピコ／マイクロノードなど）５１２ｃ、コアネットワーク、およびインターネットを図示する。図示されるように、ＵＥは、ＰＤＮの第１のセットのためにワイドエリアＲＡＮに接続され、ＰＤＮの第２のセットまたはＮＳＷＯのためにＷＬＡＮ ＡＰ２、あるいは両方に接続される。図１２Ｂは、ＲＡＮアグリゲーションが開始した後におけるいくつかのＵＥ、ワイドエリアＲＡＮ ＢＳ、ＷＬＡＮ ＡＰ１、ＷＬＡＮ ＡＰ２、コアネットワーク、およびインターネットを図示する。ＵＥは、いくつかがＲＡＮアグリゲーションを使用するＰＤＮの第１のセットのためにワイドエリアＲＡＮに接続され、ＰＤＮの第２のセットのためにＷＬＡＮ ＡＰ１を介してワイドエリアＲＡＮに接続される。
【００８２】
[0099]  図１３は、ＲＡＮアグリゲーションに参加できない第１のＷＬＡＮ ＡＰ２（例えば、Ｗｉ−Ｆｉ ＡＰ、フェムト／ピコ／マイクロノードなど）５１２ｃから、ＲＡＮアグリゲーションに参加できる第２のＷＬＡＮ ＡＰ１（例えば、Ｗｉ−Ｆｉ ＡＰ、フェムト／ピコ／マイクロノードなど）５１２ａへそのＷＬＡＮ接続を変更する単一のＷＬＡＮ接続を有するＵＥ ５０８のためのトラフィックモビリティおよびＲＡＮアグリゲーションをトリガするための例示的なコールフロー１３００を図示する。図示されるコールフローは、図１２Ｂで図示されるＲＡＮアグリゲーションを開始するために図１２Ａで図示される、ＵＥ、ｅＮＢ、ＡＰ、およびコアネットワークエンティティによって使用され得る。１３０２で、ＵＥは、ＰＤＮセット１のためにワイドエリアＲＡＮ ＢＳ（例えば、ｅＮＢ）５１０に接続し、ＡＰ２に接続し得る。ＡＰ２への接続は、Ｓ２ａ接続またはＳ２ｂ接続上のＰＤＮセット１のために、ＮＳＷＯ接続のために、または任意の接続の組み合わせのために使用され得る。１３０４で、ワイドエリアＲＡＮは、ＲＬＣアグリゲーションを開始することを決定し得る。１３０６で、ワイドエリアＲＡＮ ＢＳは、ＡＰ１とのＲＡＮアグリゲーションを開始するために、ＵＥにコマンドを送り得る。１３０８で、ＵＥは、ＡＰ２に明確な切断の通知を送ることなく、およびｅＰＤＧまたはＴＷＡＧへのＵＥが有する任意のＳ２ａおよびＳ２ｂ接続を切断することなく、ＡＰ２から切断し得る。本開示の第１の態様において、１３１０で、ＵＥは、ＡＰ２の切断を検出し、ワイドエリアＲＡＮへのＰＤＮセット２のハンドオーバをトリガし得る。ＵＥはまた、１３１０で、ワイドエリアＲＡＮを介してトランスポートされたＰＤＮにＮＳＷＯからのＩＰトラフィックを転送し得る。本開示の第２の態様において、１３１２で、ＵＥのネットワークソフトウェアスタックの下位レイヤは、ＲＬＣアグリゲーションがアクティブであるとの指示を、ＵＥのネットワークソフトウェアスタックの上位レイヤに送り得る。ＵＥのネットワークソフトウェアスタックの上位レイヤは、１３１２で、ワイドエリアＲＡＮへのＰＤＮセット２のハンドオーバをトリガし得る。ＵＥはまた、１３１２で、ワイドエリアＲＡＮ上のＰＤＮにＮＳＷＯからのＩＰトラフィックを転送し得る。
【００８３】
[00100]  図１４Ａおよび１４Ｂは、ＲＡＮアグリゲーションが使用され得る例示的なワイヤレス通信システム１４００を図示する。図１４Ａは、ＲＡＮアグリゲーションを開始する前における、２つのＷＬＡＮに同時に接続可能な例示的なＵＥ  ８０２、ワイドエリアＲＡＮ ＢＳ（例えば、ｅＮＢ）、ＲＡＮアグリゲーションに参加できるＷＬＡＮ ＡＰ１（例えば、Ｗｉ−Ｆｉ ＡＰ、フェムト／ピコ／マイクロノードなど）５１２ａ、ＲＡＮアグリゲーションに参加できないＷＬＡＮ ＡＰ２（例えば、Ｗｉ−Ｆｉ ＡＰ、フェムト／ピコ／マイクロノードなど）５１２ｂ、コアネットワーク、およびインターネットを図示する。図示されるように、ＵＥは、ＰＤＮの第１のセットのためにワイドエリアＲＡＮに接続され、ＰＤＮの第２のセットのためにＡＰ２またはＮＳＷＯ、あるいは両方に接続される。図１４Ｂは、ＲＡＮアグリゲーションが開始した後における、同じＵＥ、ワイドエリアＲＡＮ ＢＳ、ＡＰ１、ＡＰ２、コアネットワーク、およびインターネットを図示する。ＵＥは、いくつかがＲＡＮアグリゲーションを使用する、ＷＬＡＮから移動したベアラおよびＰＤＮの第１のセットのためにワイドエリアＲＡＮに接続され、ＰＤＮの第２のセットのためにＡＰ１を介してワイドエリアＲＡＮに接続され、ＰＤＮの第３のセットのためにＡＰ２を介してワイドエリアＲＡＮに接続される。
【００８４】
[00101]  図１５は、ＲＡＮアグリゲーションに参加できない第１のＷＬＡＮ ＡＰ２（例えば、Ｗｉ−Ｆｉ ＡＰ、フェムト／ピコ／マイクロノードなど）５１２ｃに接続される２つのＷＬＡＮに同時に接続可能なＵＥ ８０２のためのトラフィックモビリティおよびＲＡＮアグリゲーションのトリガのための例示的なコールフロー１５００を図示する。図示されるコールフローは、図１４Ｂで図示されるＲＡＮアグリゲーションを開始するために図１４Ａで図示される、ＵＥ、ｅＮＢ、ＡＰ、およびコアネットワークエンティティによって使用され得る。１５０２で、ＵＥは、ＰＤＮセット１のためにワイドエリアＲＡＮ ＢＳ（例えば、ｅＮＢ）に接続し、ＡＰ２に接続し得る。ＡＰ２への接続は、Ｓ２ａ接続またはＳ２ｂ接続上のＰＤＮセット２のために、ＮＳＷＯ接続のために、または任意の接続の組み合わせのために使用され得る。１５０４で、ワイドエリアＲＡＮは、ＲＬＣアグリゲーションを開始することを決定し得る。１５０６で、ワイドエリアＲＡＮ ＢＳは、ＡＰ１ ５１２ａとのＲＡＮアグリゲーションを開始するために、ＵＥにコマンドを送り得る。１５０８で、ＵＥは、ＡＰ２から切断することなくＡＰ１に接続し得る。本開示の第１の態様において、１５１０で、ＩＦＯＭがＵＥおよびＲＡＮによってサポートされる場合、ＵＥのアクセス層（ＡＳ：access stratum）は、ＷＬＡＮからワイドエリアＲＡＮにＲＡＮアグリゲーションベアラのＩＰフローを移動させるために、ＵＥのネットワークスタックの上位レイヤをトリガし得る。本開示の第２の態様において、１５１２で、ＵＥのネットワークスタックの下位レイヤは、ＲＬＣアグリゲーションがアクティブであるとの指示を、ＵＥのネットワークスタックの上位レイヤに送り得る。ＵＥのネットワークスタックの上位レイヤは、１５１２で、ワイドエリアＲＡＮへのＰＤＮセット２のハンドオーバをトリガし得る。ＵＥはまた、１５１２で、ワイドエリアＲＡＮ上のＰＤＮにＮＳＷＯからのＩＰトラフィックを転送し得る。
【００８５】
[00102]  図１６は、図８−１５を参照して上述されるような、ＲＡＮアグリゲーションを行うための動作１６００の例を図示する。動作１６００は、図８−１５の各々で示される、例えばｅノードＢ ５１０などのワイドエリア無線アクセスネットワーク（ＲＡＮ）の第１の基地局によって行われ得る。１６０２で、第１のＢＳは、ワイヤレスローカルエリアネットワーク（ＷＬＡＮ）の第１のＢＳによっておよび第２のＢＳによってサービスされるユーザ機器（ＵＥ）が、無線アクセスネットワーク（ＲＡＮ）アグリゲーションに参加可能であると決定し得る。１６０４で、第１のＢＳは、ＲＡＮのみを介して、またはＲＡＮおよびＷＬＡＮの両方を同時に介して、１つまたは複数のパケットデータネットワーク（ＰＤＮ）接続をアクティブに維持する間に、第１のＢＳと、第２のＢＳまたはＷＬＡＮの別のＢＳのうちの少なくとも１つとの１つまたは複数のＰＤＮ接続の１つまたは複数のベアラのＵＥのためのＲＡＮアグリゲーションをアクティブ化し得る。動作は、この時点で完了し得るか、またはオプションで１６０６、１６０８、および１６１２のうちの１つまたは複数へと継続し得、それは、第１のＢＳあるいは１つまたは複数の他のネットワークエンティティによって行われ得る。１６０６で、第１のＢＳは、ＵＥが接続されたＷＬＡＮの第２のＢＳのアイデンティティ、または利用可能なＷＬＡＮのＢＳのリストを受信し得る。第１のＢＳは、ＵＥから、あるいは別のネットワークエンティティ（例えば、ＭＭＥ）から、第２のＢＳのアイデンティティまたはＢＳのリストを受信し得る。１６０８で、第１のＢＳは、ＷＬＡＮの１つまたは複数のＢＳに接続されたＵＥのリストを、定期的にまたはリクエストに応じて、受信する。第１のＢＳは、第２のＢＳから、または別のネットワークエンティティ（例えば、ＭＭＥまたはＷＬＡＮの別のＢＳ）から、ＵＥのリストを受信し得る。ＲＡＮの別のネットワークエンティティ（例えば、ＭＭＥまたはＷＬＡＮの別のＢＳ）は、第２のＢＳからのリストを要求し、それを第１のＢＳに送り得る。１６１０で、ＵＥは、ＵＥが接続されたワイドエリアＲＡＮのアイデンティティおよびＵＥのネットワークアイデンティティを、ＷＬＡＮの第２のＢＳに送り得る。１６１２で、ＷＬＡＮの第２のＢＳは、それがＲＡＮアグリゲーションをイネーブルするように構成されることを検証して、ＵＥのアイデンティティをＲＡＮに送り得る。第１のＢＳは、ＷＬＡＮの第２のＢＳ、または別のネットワークエンティティ（例えば、ＭＭＥ）からＵＥのアイデンティティを受信し得る。
【００８６】
[0100]  本開示の態様によると、第１のＢＳは、ＵＥから受信された指示に基づいて、ＵＥがＲＡＮアグリゲーションに参加可能であると決定し得る。例えば、ｅＮＢは、ＵＥがＲＡＮアグリゲーションに参加可能であることの機能交換メッセージ(capabilities exchange message)を、接続されたＵＥから受信し得る。
【００８７】
[0101]  本開示の態様によると、第１のＢＳは、第２のＢＳから受信された指示に基づいて、ＵＥがＲＡＮアグリゲーションに参加可能であると決定し得る。例えば、ＡＰは、ＡＰによってサービスされるＵＥがＲＡＮアグリゲーションに参加可能であることを、ｅＮＢにシグナリングし得る。
【００８８】
[0102]  本開示の態様によると、ＲＡＮアグリゲーションをアクティブ化することは、ＵＥが第２のＢＳにアクセスするために現在使用しているネットワーク識別子とは異なるネットワーク識別子を使用して第２のＢＳにアクセスすることをＵＥにさせることを備える。例えば、ｅＮＢは、ＵＥが第１の接続で使用しているＭＡＣ ＩＤとは異なるＭＡＣ ＩＤを使用し、ＷＬＡＮ ＡＰへ第２の接続を介して接続するようにＵＥを指揮するＷＬＡＮ ＡＰへ第１の接続を介して接続されたＵＥにメッセージを送り得る。
【００８９】
[0103]  図１７は、図８−１５を参照して上述されるような、ＲＡＮアグリゲーションを行うための動作１７００の例を図示する。動作１７００は、例えば、図８−１５の各々で図示されるＥ−ＵＴＲＡ ＵＥ５０８または８０２などのユーザ機器（ＵＥ）によって行われ得る。１７０２で、ＵＥは、ワイヤレスローカルエリアネットワーク（ＷＬＡＮ）の第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信し得る。１７０４で、ＵＥは、ＲＡＮのみを介して、またはＲＡＮおよびＷＬＡＮの両方を同時に介して、１つまたは複数のＰＤＮ接続をアクティブに維持する間に、１つまたは複数のＰＤＮ接続に属する１つまたは複数のベアラのＲＡＮアグリゲーションを行うための動作をし得る。
【００９０】
[0104]  本開示の態様によると、動作をすることは、ＵＥが第１のＢＳにアクセスするために現在使用しているものとは異なるネットワーク識別子を使用して第１のＢＳにアクセスするＵＥを備え得る。例えば、ＷＬＡＮ ＡＰへ第１の接続を介して接続されたＵＥは、ＵＥが第１の接続で使用しているＭＡＣ ＩＤとは異なるＭＡＣ ＩＤを使用し、ＷＬＡＮ ＡＰへ第２の接続を介して接続し得る。
【００９１】
[0105]  本開示の態様によると、動作をすることは、ＷＬＡＮの第３のＢＳに接続しているＵＥを備え得る。例えば、ＵＥは、ＲＡＮアグリゲーションに参加可能でないＷＬＡＮ ＡＰから切断し、ＲＡＮアグリゲーションに参加可能であるＷＬＡＮ ＡＰに接続し得る。
【００９２】
[0106]  上述された方法の様々な動作は、対応する機能を行うことが可能な任意の適切な手段によって行われ得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。一般に、動作が図中に図示される場合、それらの動作は、類似の参照番号で対応する該当機能手段コンポーネント(means-plus-function components)を有し得る。
【００９３】
[0107]  本明細書で使用される場合、「決定すること」という用語は、幅広い動作を包含する。例えば、「決定すること」は、計算すること、コンピュータ処理すること、処理すること、導き出すこと、調査すること、調べること（例えば、表、データベース、または別のデータ構造を調べること）、確認することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【００９４】
[0108]  本明細書で使用される場合、項目のリスト「〜のうちの少なくとも１つ」というフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに、同じ要素（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、あるいは、ａ、ｂ、およびｃの他の順番）の複数との任意の組み合わせをカバーすることが意図される。
【００９５】
[0109]  上述された方法の様々な動作は、これら動作を行うことが可能な任意の適切な手段、例えば、様々なハードウェアおよび／またはソフトウェアコンポーネント、回路、および／またはモジュールによって行われ得る。一般に、図面において図示される任意の動作は、これら動作を行うことが可能な対応する機能手段によって行われ得る。
【００９６】
[0110]  本開示に関連して説明された、様々な例示的な論理ブロック、モジュール、および回路は、本明細書で説明された機能を行うように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）、または他のプログラマブル論理デバイス（ＰＬＤ）、離散ゲートまたはトランジスタ論理、離散ハードウェアコンポーネント、またはそれらの任意の組み合わせを用いて、実施されまたは行われ得る。汎用プロセッサは、マイクロプロセッサであり得るが、代替として、このプロセッサは、任意の商業的に利用可能なプロセッサ、コントローラ、マイクロコントローラ、またはステートマシンであり得る。プロセッサはまた、コンピューティングデバイスの組み合わせとして、例えば、ＤＳＰとマイクロプロセッサの組み合わせ、複数のマイクロプロセッサ、ＤＳＰコアと連結された１つまたは複数のマイクロプロセッサ、あるいは、何か他のこのような構成として実施され得る。
【００９７】
[0111]  本開示に関連して説明される方法またはアルゴリズムのステップは、ハードウェアで、プロセッサによって実行されるソフトウェアモジュールで、または両者の組み合わせで、直接具現化され得る。ソフトウェアモジュールは、当該技術分野で知られた記憶媒体の任意の形式であり得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどを含む。ソフトウェアモジュールは、単一の命令または多数の命令を備え得、異なるプログラム間でいくつかの異なるコードセグメントにわたって、および複数の記憶媒体にわたって、分散され得る。記憶媒体は、プロセッサが記憶媒体から情報を読み取り、記憶媒体に情報を書き込むことができるように、プロセッサに結合され得る。代替では、記憶媒体は、プロセッサに組み込まれ得る。
【００９８】
[0112]  本明細書に開示された方法は、説明される方法を達成するための１つまたは複数のステップまたは動作を備える。方法のステップおよび／または動作は、特許請求の範囲から逸脱することなく互い変形可能であり得る。言い換えると、ステップまたは動作の特定の順序が指定されない限り、特定のステップおよび／または動作の順序および／または使用は、特許請求の範囲から逸脱することなく変形され得る。
【００９９】
[0113]  説明される機能は、ハードウェア、ソフトウェア、ファームウェア、またはこれらの任意の組み合わせで実施され得る。ソフトウェアにおいて実施される場合、機能は、1つまたは複数の命令として、コンピュータ可読媒体上に記憶され得る。記憶媒体は、コンピュータによってアクセスされることができる任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされ得る何か他の媒体を備え得る。本明細書で使用されるようなディスク（Disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびＢｌｕ−ｒａｙ（登録商標）ディスクを含み、ここで、ディスク（disks）は通常、磁気的にデータを再生し、一方、ディスク（discs）は、レーザーを用いて光学的にデータを再生する。
【０１００】
[0114]  よって、ある態様は、本明細書で提示される動作を行うためのコンピュータプログラム製品を備え得る。例えば、このようなコンピュータプログラム製品は、記憶された（および／またはエンコードされた）命令を有するコンピュータ可読媒体を備え得、その命令は、本明細書に記載された動作を行うために１つまたは複数のプロセッサによって実行可能である。ある態様のために、コンピュータプログラム製品は、パッケージ材料を含み得る。
【０１０１】
[0115]  ソフトウェアまたは命令はまた、送信媒体を介して送信され得る。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技術を使用して送信される場合、同軸ケーブル、光ファイバーケーブル、ツイストペア、ＤＳＬ、あるいは赤外線、無線、およびマイクロ波のようなワイヤレス技術は、送信媒体の定義に含まれる。
【０１０２】
[0116]  さらに、本明細書で説明された方法および技法を行うためのモジュールおよび／または他の適切な手段は、適宜、ユーザ端末および／または基地局によってダウンロードされるおよび／またはさもなければ取得され得ることが理解されるべきである。例えば、このようなデバイスは、本明細書で説明される方法を行うための手段の転送を容易にするために、サーバに結合され得る。代替として、本明細書で説明される様々な方法は、ユーザ端末および／または基地局が、デバイスに記憶手段を結合または提供することに伴って様々な方法を取得し得るように、記憶手段（例えば、ＲＡＭ、ＲＯＭ、コンパクトディスク（ＣＤ）またはフロッピーディスクなどのような物理記憶媒体）を介して提供され得る。さらに、本明細書で説明される方法および技法をデバイスに提供するための何か他の適切な技法が、利用され得る。
【０１０３】
[0117]  請求項が上記で図示される明確な構成およびコンポーネントに限定されないことが理解されるだろう。様々な変形、変更、およびバリエーションが、本願の特許請求の範囲から逸脱することなく、上述された方法および装置の構成、動作、および詳細においてなされ得る。
【０１０４】
[0118]  前述の内容は、本開示の態様に向けられているが、本開示の他の態様およびさらなる態様が、その基本的な範囲から逸脱することなく考案され得、その範囲は、下記の請求項によって決定される。
以下に、本願の出願当初の特許請求の範囲に記載された発明を付記する。
［Ｃ１］
ワイドエリア無線アクセスネットワーク（ＲＡＮ）の第１の基地局（ＢＳ）によるワイヤレス通信のための方法であって、
ワイヤレスローカルエリアネットワーク（ＷＬＡＮ）の前記第１のＢＳによっておよび第２のＢＳによってサービスされるユーザ機器（ＵＥ）が、無線アクセスネットワーク（ＲＡＮ）アグリゲーションに参加可能であると決定することと、
前記ＲＡＮのみを介して、または前記ＲＡＮおよび前記ＷＬＡＮの両方を同時に介して、前記１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの１つまたは複数のＰＤＮ接続の１つまたは複数のベアラの前記ＵＥのためのＲＡＮアグリゲーションをアクティブ化することと、
を備える、方法。
［Ｃ２］
前記決定は、前記ＵＥから受信された指示に基づく、Ｃ１に記載の方法。
［Ｃ３］
前記決定は、前記第２のＢＳから受信された指示に基づく、Ｃ１に記載の方法。
［Ｃ４］
前記ＵＥは、一度に単一のＷＬＡＮ ＢＳのみと接続可能である、Ｃ１に記載の方法。
［Ｃ５］
ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備える、Ｃ１に記載の方法。
［Ｃ６］
ＲＡＮアグリゲーションをアクティブ化することは、ＷＬＡＮの別のＢＳにアクセスすることを前記ＵＥにさせることを備える、Ｃ１に記載の方法。
［Ｃ７］
前記ＵＥが接続された前記ＷＬＡＮの前記第２のＢＳのアイデンティティ、または利用可能なＷＬＡＮの前記ＢＳのリストを、前記ＵＥから受信することをさらに備える、Ｃ１に記載の方法。
［Ｃ８］
ＷＬＡＮの１つまたは複数のＢＳに接続されたＵＥのリストを、定期的にまたはリクエストに応じて、前記ＷＬＡＮの前記第２のＢＳから受信することをさらに備える、Ｃ１に記載の方法。
［Ｃ９］
前記ＵＥのアイデンティティを、前記ＷＬＡＮの前記第２のＢＳから受信することをさらに備える、Ｃ１に記載の方法。
［Ｃ１０］
ユーザ機器（ＵＥ）によるワイヤレス通信のための方法であって、
ワイヤレスローカルエリアネットワーク（ＷＬＡＮ）の第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信することと、
前記ＲＡＮのみを介して、または前記ＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと
を備える、方法。
［Ｃ１１］
動作をすることは、前記第１のＢＳによってサービスされる１つまたは複数のＳ２ａおよびＳ２ｂ接続を切断せずに、前記第１のＢＳから切断することを備える、Ｃ１０に記載の方法。
［Ｃ１２］
動作をすることは、前記ＵＥが前記第１のＢＳにアクセスするために現在使用しているものとは異なるネットワーク識別子を使用して前記第１のＢＳにアクセスすることを備える、Ｃ１０に記載の方法。
［Ｃ１３］
動作をすることは、ＷＬＡＮの第３のＢＳに接続することを備える、Ｃ１０に記載の方法。
［Ｃ１４］
動作をすることはさらに、前記第１のＢＳから切断することを備える、Ｃ１３に記載の方法。
［Ｃ１５］
動作をすることはさらに、インターネットプロトコル（ＩＰ）フローモビリティ（ＩＦＯＭ）シグナリングを行うことを備える、Ｃ１３に記載の方法。
［Ｃ１６］
ワイドエリア無線アクセスネットワーク（ＲＡＮ）の第１の基地局（ＢＳ）であって、
少なくとも１つのアンテナと、
ワイヤレスローカルエリアネットワーク（ＷＬＡＮ）の前記第１のＢＳによっておよび第２のＢＳによってサービスされるユーザ機器（ＵＥ）が、無線アクセスネットワーク（ＲＡＮ）アグリゲーションに参加可能であると決定することと、
前記ＲＡＮのみを介して、または前記ＲＡＮおよび前記ＷＬＡＮの両方を同時に介して、前記１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの１つまたは複数のＰＤＮ接続の１つまたは複数のベアラの前記ＵＥのためのＲＡＮアグリゲーションをアクティブ化することと、
をするように構成される少なくとも１つのプロセッサと、
を備える、第１のＢＳ。
［Ｃ１７］
前記決定は、前記少なくとも１つのアンテナを介して前記ＵＥから受信された指示に基づく、Ｃ１６に記載の第１のＢＳ。
［Ｃ１８］
少なくとも１つの有線ネットワークインターフェースをさらに備え、ここにおいて、前記決定は、前記少なくとも１つのアンテナまたは前記少なくとも１つの有線ネットワークインターフェースを介して前記第２のＢＳから受信された指示に基づく、Ｃ１６に記載の第１のＢＳ。
［Ｃ１９］
前記ＵＥは、一度に単一のＷＬＡＮ ＢＳのみと接続可能である、Ｃ１６に記載の第１のＢＳ。
［Ｃ２０］
ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備える、Ｃ１６に記載の第１のＢＳ。
［Ｃ２１］
ＲＡＮアグリゲーションをアクティブ化することは、ＷＬＡＮの別のＢＳにアクセスすることを前記ＵＥにさせることを備える、Ｃ１６に記載の第１のＢＳ。
［Ｃ２２］
前記少なくとも１つのプロセッサはさらに、前記ＵＥが接続される前記ＷＬＡＮの前記第２のＢＳのアイデンティティ、または利用可能なＷＬＡＮの前記ＢＳのリストを、前記少なくとも１つのアンテナを介して前記ＵＥから受信するように構成される、Ｃ１６に記載の第１のＢＳ。
［Ｃ２３］
少なくとも１つの有線ネットワークインターフェースをさらに備え、前記少なくとも１つのプロセッサはさらに、ＷＬＡＮの１つまたは複数のＢＳに接続されたＵＥのリストを、前記少なくとも１つのアンテナまたは前記少なくとも１つの有線ネットワークインターフェースを介して、定期的にまたはリクエストに応じて、前記ＷＬＡＮの前記第２のＢＳから受信するように構成される、Ｃ１６に記載の第１のＢＳ。
［Ｃ２４］
少なくとも１つの有線ネットワークインターフェースをさらに備え、ここにおいて、前記少なくとも１つのプロセッサはさらに、前記少なくとも１つのアンテナまたは前記少なくとも１つの有線ネットワークインターフェースを介して、前記ＵＥのアイデンティティを、前記ＷＬＡＮの前記第２のＢＳから受信するように構成される、Ｃ１６に記載の第１のＢＳ。
［Ｃ２５］
ユーザ機器（ＵＥ）であって、
少なくとも１つのアンテナと、
ワイヤレスローカルエリアネットワーク（ＷＬＡＮ）の第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信することと、
前記ＲＡＮのみを介して、または前記ＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと
をするように構成される、少なくとも１つまたは複数のプロセッサと
を備える、ＵＥ。
［Ｃ２６］
動作をすることは、前記第１のＢＳによってサービスされる１つまたは複数のＳ２ａおよびＳ２ｂ接続を切断せずに、前記第１のＢＳから切断することを備える、Ｃ２５に記載のＵＥ。
［Ｃ２７］
動作をすることは、前記ＵＥが前記第１のＢＳにアクセスするために現在使用しているものとは異なるネットワーク識別子を使用して前記第１のＢＳにアクセスすることを備える、Ｃ２５に記載のＵＥ。
［Ｃ２８］
動作をすることは、ＷＬＡＮの第３のＢＳに接続することを備える、Ｃ２５に記載のＵＥ。
［Ｃ２９］
動作をすることはさらに、前記第１のＢＳから切断することを備える、Ｃ２８に記載のＵＥ。
［Ｃ３０］
動作をすることはさらに、インターネットプロトコル（ＩＰ）フローモビリティ（ＩＦＯＭ）シグナリングを行うことを備える、Ｃ２８に記載のＵＥ。
【図１】
0006567561.tif 000002
【図２】
0006567561.tif 000003
【図３】
0006567561.tif 000004
【図４】
0006567561.tif 000005
【図５】
0006567561.tif 000006
【図６】
0006567561.tif 000007
【図７】
0006567561.tif 000008
【図８】
0006567561.tif 000009
【図９】
0006567561.tif 000010
【図１０Ａ】
0006567561.tif 000011
【図１０Ｂ】
0006567561.tif 000012
【図１１】
0006567561.tif 000013
【図１２Ａ】
0006567561.tif 000014
【図１２Ｂ】
0006567561.tif 000015
【図１３】
0006567561.tif 000016
【図１４Ａ】
0006567561.tif 000017
【図１４Ｂ】
0006567561.tif 000018
【図１５】
0006567561.tif 000019
【図１６】
0006567561.tif 000020
【図１７】
0006567561.tif 000021